(57)【特許請求の範囲】
【請求項１】
第１の実質白色光を放射する低青色成分光源（１０２）と、
第２の実質白色光を放射する高青色成分光源（１０４）であって、前記第２の実質白色光が前記第１の実質白色光よりも高い相関色温度を有する、高青色成分光源（１０４）とを備え、
前記第１および第２の実質白色光を組み合わせて、中間の相関色温度を有する組み合わされた実質白色光を提供し、
前記低青色成分光源（１０２）または前記高青色成分光源（１０４）の少なくとも１つが狭帯域赤色エミッタを含み、
前記組み合わされた実質白色光が少なくとも５１の標準飽和赤色の特殊演色評価数（R９）を有し、
前記組み合わされた実質白色光が、少なくとも２５００Ｋから３２００Ｋ以下であり、少なくとも−０．０２５から−０．００５以下のＤｕｖ値を有する色相関温度を有する、
合成光源。
【請求項２】
前記組み合わされた実質白色光が、少なくとも２７００Ｋから３０００Ｋ以下であり、少なくとも−０．０１５のＤｕｖ値を有し、白体放射軌跡（７１０）上またはその下方にある色相関温度を有する、請求項１記載の合成光源。
【請求項３】
前記低青色成分光源（１０２）に前記第１の実質白色光を放射させ、前記高青色成分光源（１０４）には前記第２の実質白色光を放射させない第１の状態へと作動させるように構成されたスイッチ（１１６）を更に備え、前記スイッチ（１１６）が更に、前記低青色成分光源（１０２）には前記第１の実質白色光を放射させず、前記高青色成分光源（１０４）に前記第２の実質白色光を放射させる、別の第２の状態へと作動させるように構成され、前記スイッチ（１１６）が更にまた、前記低青色成分光源（１０２）に前記第１の実質白色光を放射させ、前記高青色成分光源（１０４）に前記第２の実質白色光を放射させて、前記組み合わされた実質中間光を提供する、別の第３の状態へと作動させるように構成された、請求項１記載の合成光源。
【請求項４】
異なる時間帯における、前記低青色成分光源（１０２）および前記高青色成分光源（１０４）の比および合計の光束を制御するタイマー（１１８）を更に備える、請求項１記載の合成光源。
【請求項５】
前記タイマー（１１８）が、睡眠前時間の間、前記低青色成分光源（１０２）を活性化して前記第１の実質白色光を放射させ、前記高青色成分光源（１０４）は非活性化し、前記タイマー（１１８）が、睡眠後時間の間、前記高青色成分光源（１０４）を活性化して前記第２の実質白色光を放射させ、前記低青色成分光源（１０２）は非活性化し、前記タイマー（１１８）が、前記睡眠後時間の後から前記睡眠前時間までの時間の間、前記低青色成分光源（１０２）および前記高青色成分光源（１０４）を活性化する、請求項４記載の合成光源。
【請求項６】
前記狭帯域赤色エミッタがリン光体（１０８、１１０、１１２）である、請求項１記載の合成光源。
【請求項７】
前記リン光体（１０８、１１０、１１２）がフルオロケイ酸カリウムから形成される、請
求項６記載の合成光源。
【請求項８】
実質中間光が、少なくとも８０のＲ９値、少なくとも８０の色域指数、または少なくとも１１０の照明選好指数のうち１つ以上を含む、請求項６記載の合成光源。
【請求項９】
第１の時間の間、第１の実質白色光を合成光源の低青色成分光源（１０２）から放射するステップと、
別の第２の時間の間、第２の実質白色光を高青色成分光源（１０４）から放射するステップであって、前記第２の実質白色光が前記第１の実質白色光よりも高い相関色温度を有する、ステップとを含む方法であって、
ここで前記低青色成分光源（１０２）または前記高青色成分光源（１０４）の少なくとも１つが狭帯域赤色エミッタを含み、
別の第３の時間の間、同時に前記第１の実質白色光を放射すると共に前記第２の実質白色光を放射するステップであって、前記第１および第２の実質白色光を組み合わせて、組み合わされた実質中間光を提供する、ステップを更に含むとともに、
前記組み合わされた実質白色光が、少なくとも５１の標準飽和赤色の特殊演色評価数（R９）を有し、かつ少なくとも２５００Ｋから３２００Ｋ以下であり、少なくとも−０．０２５から−０．００５以下のＤｕｖ値を有する色相関温度を有する、
方法。
【請求項１０】
前記組み合わされた実質白色光が、少なくとも２７００Ｋから３０００Ｋ以下であり、少なくとも−０．０１５のＤｕｖ値を有し、白体放射軌跡（７１０）上またはその下方にある色相関温度を有する、請求項９記載の方法。
【請求項１１】
前記合成光源のスイッチ（１１６）の作動に応答して、前記第１の実質白色光の前記低青色成分光源（１０２）からの放射から、前記第２の実質白色光の前記高青色成分光源（１０４）からの放射に切り替えるステップ、
前記スイッチ（１１６）の作動に応答して、前記第２の実質白色光の前記高青色成分光源（１０４）からの放射から、前記第１の実質白色光の前記低青色成分光源（１０２）からの放射に切り替えるステップ、あるいは、
前記スイッチ（１１６）の作動に応答して、前記第１の実質白色光の前記低青色成分光源（１０２）からの放射のみまたは前記第２の実質白色光の前記高青色成分光源（１０４）からの放射のみから、前記低青色成分光源（１０２）からの前記第１の実質白色光および前記高青色成分光源（１０４）からの前記第２の実質白色光両方の同時の放射に切り替えるステップのうち１つ以上を更に備える、請求項９記載の方法。
【請求項１２】
時間帯に基づいて、前記第１の実質白色光の前記低青色成分光源（１０２）からの放射から、前記第２の実質白色光の前記高青色成分光源（１０４）からの放射に自律的に切り替えるステップ、
前記時間帯に基づいて、前記第２の実質白色光の前記高青色成分光源（１０４）からの放射から、前記第１の実質白色光の前記低青色成分光源（１０２）からの放射に自律的に切り替えるステップ、
前記時間帯に基づいたスイッチ（１１６）の作動に応答して、前記第１の実質白色光の前記低青色成分光源（１０２）からの放射のみまたは前記第２の実質白色光の前記高青色成分光源（１０４）からの放射のみから、前記低青色成分光源（１０２）からの前記第１の実質白色光および前記高青色成分光源（１０４）からの前記第２の実質白色光両方
の同時の放射に自律的に切り替えるステップのうち１つ以上を更に備える、請求項９記載の方法。
【請求項１３】
睡眠前時間の間、前記低青色成分光源（１０２）を活性化して前記第１の実質白色光を放射させ、前記高青色成分光源（１０４）は非活性化するステップと、
睡眠後時間の間、前記高青色成分光源（１０４）を活性化して前記第２の実質白色光を放射させ、前記低青色成分光源（１０２）は非活性化するステップと、
前記睡眠後時間の後から前記睡眠前時間までの時間の間、前記低青色成分光源（１０２）および前記高青色成分光源（１０４）を活性化するステップとを更に備える、請求項９記載の方法。
【発明の詳細な説明】
【技術分野】
【０００１】
本明細書に開示する主題の実施形態は、照明システムに関する。
【背景技術】
【０００２】
比較的多量の青色光を有する光は、ヒトおよび他の哺乳類におけるメラトニン分泌抑制と相関することがあること、また、メラトニンは、睡眠のタイミングおよび他の多くを含む生理機能の概日リズムの同調化（同期）に関与する重要なホルモンであることが知られている。したがって、低照度レベルの低青色低相関色温度（ＣＣＴ）（例えば、２０００Ｋ）スペクトルは、メラトニン産生を促し、かかるスペクトルを具体化する光源のユーザが睡眠を促進する助けとなる。高照度レベルの高青色高ＣＣＴ（例えば、７０００Ｋ）スペクトルは、一般に、メラトニン産生を抑制し、かかるスペクトルを具体化する光源のユーザが、朝に覚醒し、日中に意識をはっきりさせておくのを支援することがある。照明のこの比較的新しい応用は、概日照明として、またはヒューマン・セントリック・ライティングの部分集合として知られている。
【０００３】
ヒトのメラトニン産生または分泌抑制に対する光の効果に関係することがある、一部の発光ダイオード（ＬＥＤ）系ランプが知られている。米国特許出願公開第２０１５／００６２８９２号は、第１のＬＥＤ発光部（例えば、第１のスペクトルを放射する１つ以上のＬＥＤ）と、第２のＬＥＤ発光部（例えば、第２のスペクトルを放射する１つ以上のＬＥＤ）とを含むように形成され、第１および第２のＬＥＤ発光部が第１の比および第２の比で組み合わされて、第１の比から第２の比へと変化する際に、８０超過の演色評価数を維持したまま相対概日シミュレーションが変動する、光源について記載している。
【０００４】
米国特許出願公開第２０１２／０００８３２６号は、可視光を放射することができる発光素子と、発光素子に近接する濾光素子とを含む照明デバイスについて記載している。発光素子が可視光を放射すると、濾光素子は、発光素子によって放射される可視光中の青色光成分を低減して、可視光によって生じるメラトニンの分泌抑制に対する影響を低減するように、可視光の青色光成分を濾光することができる。
【０００５】
米国特許出願公開第２０１４／０２２８９１４号は、調節可能なメラトニン分泌抑制効果を提供する複数のＬＥＤ構成要素を含む、固体発光素子について記載している。複数のＬＥＤ構成要素を、異なる動作モードにしたがって同時に動作させることができ、そのモードにしたがって、組み合わされた出力が同じまたは同様の色度を提供するが、異なる動作モード間で少なくとも所定の閾値量分異なる、メラトニン分泌抑制効果を提供する。
【先行技術文献】
【特許文献】
【０００６】
【特許文献１】米国特許第２０１５０６２８９２号
【発明の概要】
【課題を解決するための手段】
【０００７】
一実施形態では、合成光源は、第１の実質白色光を放射する低青色成分光源と、第２の実質白色光を放射する高青色成分光源と、低青色および高青色光源からの光を組み合わせ混合する光学系とを含む。第２の実質白色光は、第１の実質白色光よりも高い相関色温度を有する。第１および第２の実質白色光は、光学系において組み合わされ混合されて、中間の相関色温度を有する実質白色光を提供する。
【０００８】
別の実施形態では、（例えば、光を発生させる）方法は、第１の時間帯の間、第１の実質白色光を合成光源の低青色成分光源から放射することと、別の第２の時間帯の間、第２の実質白色光を高青色成分光源から放射すること（光源の高速切替えと混同されないように、目の反応よりも速い速度で）とを含み、第２の実質白色光は第１の実質白色光よりも高い相関色温度を有する。
【０００９】
別の実施形態では、合成光源は、１０％、５％、３％、もしくは１％以内など、約２５００Ｋ以下（または約２２００Ｋもしくは約２０００Ｋなど、別の値以下）の相関色温度（ＣＣＴ）を有する第１の実質白色光を放射する低青色成分光源と、少なくとも約３２００Ｋ（または少なくとも約５０００Ｋ、もしくは少なくとも約６５００Ｋ）のＣＣＴを有する第２の実質白色光を放射する高青色成分光源と、低青色成分光源および高青色成分光源のどちらを活性化して、第１の実質白色光または第２の実質白色光それぞれを放射させるかを制御する制御部と、第１の実質白色光および第２の実質白色光の両方がそこを通して放射される光学系とを含む。
【００１０】
別の実施形態では、合成光源は、約２５００Ｋ以下（または約２２００Ｋもしくは約２０００Ｋなど、別の値以下）の相関色温度（ＣＣＴ）を有する第１の実質白色光を放射する低青色成分光源と、少なくとも約３２００Ｋ（または少なくとも約５０００Ｋもしくは少なくとも約６５００Ｋ）のＣＣＴを有する第２の実質白色光を放射する高青色成分光源と、低青色および高青色光源からの光を組み合わせ混合する光学系と、第１の実質白色光または第２の実質白色光それぞれまたは中間のＣＣＴを有する実質白色光を放射するように、低青色成分光源および高青色成分光源からの放射量を制御する制御部とを含む。
【００１１】
本明細書に記載する主題は、以下の添付図面を参照して、非限定的実施形態の以下の説明を読むことによって、更に良く理解されるであろう。
【図面の簡単な説明】
【００１２】
【図１ａ】混合スペクトルを生成する多重チャネルランプシステムの一実施形態を示す図である。
【図１ｂ】明所視ルーメンおよび概日ルーメンの作用スペクトルを示す図である。
【図２】一実施例による、図１ａに示される低青色光源の様々な実施形態に関するスペクトルパワー分布を示す図である。
【図３】一実施例による、図１ａに示される高青色光源の様々な実施形態に関するスペクトルパワー分布を示す図である。
【図４】一実施例による、図１ａに示されるランプシステムの様々な実施形態に関するスペクトルパワー分布を示す図である。
【図５】一実施例による、図１ａに示されるランプシステムの追加の実施形態に関するスペクトルパワー分布を示す図である。
【図６】ｕ’、ｖ’色度空間における黒体（プランク）放射軌跡または線（「ＢＢＬ」）を示す図である。
【図７】一実施例による、図６に示される色度空間における白体放射軌跡（「ＷＢＬ」）を示す図である。
【図８】一実施例による、図６に示される色度空間における選好放射軌跡（ｐｒｅｆｅｒｅｎｃｅ  ｌｏｃｕｓ）を示す図である。
【図９】一実施形態による、図６に示される色度空間における選好色の指定範囲を示す図である。
【図１０】一実施形態による、図６に示される色度空間における指定選好帯域を示す図である。
【図１１】一実施形態による、図１０に示される第１の選好帯域内の温白色光を発生させるのに使用することができる、図１ａに示される光源における色度の組み合わせの例を示す図である。
【図１２】一実施形態による、図１０に示される第１の選好帯域内の温白色光を発生させるのに使用することができる、図１ａに示される光源における色度の組み合わせの別の例を示す図である。
【図１３】一実施形態による、図１０に示される第１の選好帯域内の温白色光を発生させるのに使用することができる、図１ａに示される光源の組み合わせにおける色度の別の例を示す図である。
【図１４】一実施形態による、図１０に示される第１の選好帯域内の温白色光を発生させるのに使用することができる、図１ａに示される光源の組み合わせにおける色度の別の例を示す図である。
【図１５】一実施形態による、図１０に示される第１の選好帯域内の温白色光を発生させるのに使用することができる、図１ａに示される光源の組み合わせにおける色度の別の例を示す図である。
【図１６】一実施形態による、図１０に示される第１の選好帯域内の温白色光を発生させるのに使用することができる、図１ａに示される光源の１つの組み合わせにおける色度の別の一例を示す図である。
【図１７】一実施形態による、図１０に示されるより大きい第２の選好帯域内の温白色光を発生させるのに使用することができる、図１ａに示される光源の組み合わせにおける色度の例を示す図である。
【図１８】一実施形態による、図１０に示されるより大きい第２の選好帯域内の温白色光を発生させるのに使用することができる、図１ａに示される光源の組み合わせにおける色度の別の例を示す図である。
【図１９】一実施形態による、図１０に示されるより大きい第２の選好帯域内の温白色光を発生させるのに使用することができる、図１ａに示される光源の組み合わせにおける色度の別の例を示す図である。
【図２０】一実施形態による、図１０に示されるより大きい第２の選好帯域内の温白色光を発生させるのに使用することができる、図１ａに示される光源の１つの組み合わせにおける色度の別の一例を示す図である。
【図２１】一実施形態による、図１０に示されるより大きい第２の選好帯域内の温白色光を発生させるのに使用することができる、図１ａに示される光源の組み合わせにおける色度の別の例を示す図である。
【図２２】一実施形態による、図１０に示されるより大きい第２の選好帯域内の温白色光を発生させるのに使用することができる、図１ａに示される光源の組み合わせにおける色度の別の例を示す図である。
【図２３】一実施形態による、図１０に示されるより大きい第２の選好帯域内の温白色光を発生させるのに使用することができる、図１ａに示される光源の１つの組み合わせにおける色度の別の一例を示す図である。
【図２４】一実施形態による、図１０に示されるより大きい第３の選好帯域内の温白色光を発生させるのに使用することができる、図１ａに示される光源の組み合わせにおける色度の例を示す図である。
【図２５】一実施形態による、図１０に示されるより大きい第３の選好帯域内の温白色光を発生させるのに使用することができる、図１ａに示される光源の組み合わせにおける色度の別の例を示す図である。
【図２６】一実施形態による、図１０に示されるより大きい第３の選好帯域内の温白色光を発生させるのに使用することができる、図１ａに示される光源の組み合わせにおける色度の別の例を示す図である。
【図２７】一実施形態による、図１０に示されるより大きい第３の選好帯域内の温白色光を発生させるのに使用することができる、図１ａに示される光源の組み合わせにおける色度の別の例を示す図である。
【図２８】固体照明（ＳＳＬ）製品を用いた一般の照明（即ち、白色光）に対する、ＡＮＳＩ規格Ｃ７８．３７７−２０１１（電球に関する米国標準規格−ＳＳＬ製品の色度に関する仕様）によって推奨されている色度の範囲を示す図である。
【発明を実施するための形態】
【００１３】
いくつかの実施形態では、２つ以上の成分光源におけるそれぞれのスペクトルの組み合わせによって発生させることができる、合成光源が提供される。第１の成分光源は、比較的低ＣＣＴの「低青色」光を放射してもよく、第２の成分光源は、比較的高ＣＣＴの「高青色」光を放射してもよい。ここで、低青色光源は、約１５００Ｋ〜約２５００Ｋの範囲のＣＣＴを有するＳＰＤ分布によって表されるが、任意に約１０００Ｋ程度と低く、ユーザが夜間に用いることができるようにメラトニン分泌抑制を制限することが可能であってもよい。ここで、高青色光源は、約３２００Ｋ〜約６５００Ｋの範囲のＣＣＴを有するＳＰＤ分布によって表されるが、任意に約１０，０００Ｋ程度、約１５，０００Ｋ程度、または更にそれ以上の高い値で、ユーザが朝に、もしくは日中を通して用いることができるように、メラトニン産生を抑制することが可能であってもよい。
【００１４】
概日照明の新たな適用例において、「低青色光」および「高青色光」という用語は、ヒト被験体の目の角膜に入射するメラトニン分泌抑制光のフラックスを指す。メラトニン分泌抑制光のフラックスは、２０１０年発行のＲｅａ  ｅｔ  ａｌ．，Ｊｏｕｒｎａｌ  ｏｆ  Ｃｉｒｃａｄｉａｎ  Ｒｈｙｔｈｍｓ  ２０１０，８：２（２０１０  Ｒｅａ）において定量化されている。低青色光および高青色光に関して推奨されている許容可能な限界は、最近になって初めて科学文献に、例えば、２０１３年のＲｅａ  ＭＳ，Ｆｉｇｕｅｉｒｏ  ＭＧ，“Ａ  Ｗｏｒｋｉｎｇ  Ｔｈｒｅｓｈｏｌｄ  ｆｏｒ  Ａｃｕｔｅ  Ｎｏｃｔｕｒｎａｌ  Ｍｅｌａｔｏｎｉｎ  Ｓｕｐｐｒｅｓｓｉｏｎ  ｆｒｏｍ  “Ｗｈｉｔｅ”  Ｌｉｇｈｔ  Ｓｏｕｒｃｅｓ  ｕｓｅｄ  ｉｎ  Ａｒｃｈｉｔｅｃｔｕｒａｌ  Ａｐｐｌｉｃａｔｉｏｎｓ”，Ｊ  Ｃａｒｃｉｎｏｇｅｎｅ  Ｍｕｔａｇｅｎｅ  ４：１５０（２０１３  Ｒｅａ）に出た。（メラトニン分泌抑制に関する照明規格はまだ展開されていない。）その文献の中で次のように提案されている。「重大な夜間メラトニン分泌抑制に対する仮定の作用閾値は、建築用途で使用されることがある「白色」光源からの、角膜において３０ルクスの明るさに３０分間暴露すること（即ち、低青色光閾値）である。これらの値は、照射量の控えめな推定値を表しており、現在の研究の経験的結果および第一種過誤の従来の確率（即ち、α＜０．０５）を認識すると、選択された「温白色」光源からの２００ルクスに対する１時間の暴露は、夜間メラトニン合成を信頼性高く抑制することができる、最低限の照明条件であろう（即ち、高青色閾値）。」科学文献の中には、図１ｂに１６０として示されているものとは異なる概日ルーメンの作用スペクトルを定義しているものがあり、異なる形で「概日照度」を定量化する方法を定義しているものがあり、また、低青色および高青色光源に対して異なる閾値を提案しているものがあるが、それらの違いは本発明の要素を実質的に変更するものではない。
【００１５】
２０１３  Ｒｅａのような「低青色」または「高青色」光源の定量的定義には、目の角膜に入射するルクス（ルーメン／ｍ2）が関与するので、これらの用語は、光源と観察者の間の距離、ならびに観察者の環境の反射特性に依存する。したがって、観察者の環境、光源からの距離、および光源に対する向きを参照せずに、２０１３  Ｒｅａで提案されているように、概日照度（ＣＬA）または明所照度に関して「低青色」または「高青色」光源の限界を定量的に定義することは非実用的である。その代わりに、本明細書では、観察者の角膜における光源の強度には関係なく、光源のＳＰＤのみを参照して「低青色」および「高青色」を定義する。
【００１６】
ＣＬAと明所照度の比は、２０１０  Ｒｅａでは、白熱電球に対する相対ＳＰＤと同様に、「ＣＩＥ標準イルミナントＡ」（２８５６Ｋの色温度における黒体放射）の場合、１．０に等しいものと定義されている。したがって、本明細書において、「低青色」光源は、１．０未満、より好ましくは約０．８未満または約０．６未満のＣＬA：明所照度の比を有し、「高青色」光源は、１．０超過、より好ましくは約１．２超過または約１．４超過のＣＬA：明所照度の比を有するものと定義することができる。換言すれば、「低青色」および「高青色」光源は、本明細書では、同じ明所照度の「ＣＩＥ標準イルミナントＡ（例えば、白熱電球もしくは温白色ＬＥＤ光源）が提供するであろうよりも、観察者の角膜において、「実質的に少ない」および「実質的に多い」概日照度を提供する光源として定義する。本明細書における低青色および高青色の定義は、明所照度量とは独立しているので、低青色および高青色光源の差は、本明細書で定義されるように、それぞれのスペクトルパワー分布における「青色光」の相対量によってのみ決定される。「青色光」は、本明細書では、図１ｂの概日ルーメン１６０の作用スペクトルの範囲内で放射される、光源のＳＰＤの部分として定義され、即ち、光源のＳＰＤを有する概日ルーメンに関して、作用スペクトル１６０の可視スペクトル（３８０〜７６０ｎｍ）または類似の作用スペクトル上での積分によって与えられる、光源の概日ルーメンフラックスである。
【００１７】
合成光源は、２つの成分光源のスペクトルの組み合わせであってもよく、２つのスペクトルの組み合わせは、それぞれの成分光源の色点間の対応線に沿った色点を提供し、白体放射軌跡付近で黒体放射軌跡の下方の、色選好が強化された中間白色放射（例えば、約２５００Ｋ〜約３２００Ｋの範囲などの温白色放射）を生成する。いくつかの実施形態では、第１および／または第２の成分光源は、狭帯域赤色放射源（赤色ＬＥＤ、量子ドットエミッタ、従来の赤色窒化物リン光体よりも狭帯域幅の赤色リン光体などの新たな技術の狭帯域赤色エミッタ、またはマンガンをドープしたヘキサフルオロ金属酸、例えばフルオロケイ酸カリウム（ＰＦＳ））を含んで、様々な設定における色の強化を可能にしている。狭帯域赤色エミッタは、約６０ｎｍ未満、より好ましくは約３０ｎｍ未満の半波高全幅値を有するべきである。合成光源は、一般の照明に、またはディスプレイ用のブラックライトとして、または他の目的に用いられてもよい。
【００１８】
一実施形態では、狭帯域赤色エミッタは、ＰＦＳなどのリン光体を含む。ＰＦＳを他の狭帯域赤色エミッタの代わりに使用することで、熱安定性の向上、コストの低下、および／または光源の制御の単純化など、１つ以上の利益を提供することができる。赤色ＬＥＤは、ＰＦＳ赤色エミッタの青色ＬＥＤドライバよりも熱安定性が低く、より高価である。今日利用可能な新たな技術の赤色エミッタは、ＰＦＳリン光体ほど狭帯域ではないので、近ＩＲ放射の低減および赤色オブジェクトの彩度向上の最大限の利点は、それらのリン光体によって提供されない。量子ドットはコストを増加させることがあった（例えば、有害物質使用制限指令、および量子ドット中にカドミウムが存在することによる）。
【００１９】
本明細書に記載するいくつかの実施形態によれば、「低青色」スペクトルと「高青色」スペクトルの組み合わせによって、個々の色点間の対応線に沿った任意の色点を達成するのを可能にすることができる。中間または温白色スペクトル（例えば、約２５００Ｋ〜約３２００Ｋ）の場合、組み合わされたスペクトルの対応線は、「白体」線、即ち「色選好線」に近接して位置してもよい。「白色線」（「白体放射軌跡」または「白体線」としても知られている）は、次の文献を参照することによって理解できる。“Ｗｈｉｔｅ  Ｌｉｇｈｔｉｎｇ，”Ｃｏｌｏｒ  Ｒｅｓｅａｒｃｈ  ＆  Ａｐｐｌｉｃａｔｉｏｎ，ｖｏｌｕｍｅ  ３８，＃２，ｐｐ．８２−９２（２０１３），著者Ｍ．Ｓ．Ｒｅａ  ＆  Ｊ．Ｐ．Ｆｒｅｙｓｓｉｎｉｅｒ（以下、「２０１３  Ｆｒｅｙｓｓｉｎｉｅｒ文献」）。「色選好線」は、次の文献を参照することによって理解できる。“Ｃｏｌｏｒ  Ｐｒｅｆｅｒｅｎｃｅ−ｂａｓｅｄ  ＬＥＤ  Ｌｉｇｈｔｉｎｇ”，ＳＰＡＲＣ  Ｉｎｔｅｒｎａｔｉｏｎａｌ  Ｌｉｇｈｔｉｎｇ  Ｅｖｅｎｔｓ  ２０１５  Ｍａｙ２７−２９，２０１５，著者Ｙｏｓｈｉ  Ｏｈｎｏ（以下、「２０１５  Ｏｈｎｏ文献」）。狭帯域赤色放射源が、低青色光源成分および／または高青色光源成分で使用される場合、これにより、更なる色の強化と、ＣＲＩ（演色評価数）、Ｒ9（標準飽和赤色の特殊演色評価数）、ＧＡＩ（色域指数）、および／またはＬＰＩ（国際出願公開ＷＯ２０１５／０３５４２５に記載されているような、照明選好指数）など、色品質測定の向上とを可能にすることができる。国際出願ＷＯ２０１５／０３５４２５は、ＬＰＩ測定の１つの定義を開示しており、この特許出願公開を参照により本明細書に組み込む。スペクトル効率はまた、狭帯域赤色放射源を使用することにより、従来の広帯域赤色リン光体に典型的な約６４０ｎｍを超える非効率的な放射を排除することによって向上させてもよい。
【００２０】
一般的に、本開示の実施形態の合成光源は、全て単一の実施形態における、低青色の「夜用ランプ」、高青色の「朝用ランプ」、および温白色の「色強化ランプ」として働く光源として機能してもよい。
【００２１】
図１ａは、混合スペクトルを生成する多重チャネルランプシステム１００の一実施形態を示している。システム１００は、任意に、合成光源と呼ばれることがある。システム１００は、異なる光のスペクトルを生成する複数の異なる光源１０２、１０４を含む。光源１０２、１０４は、発光ダイオード（ＬＥＤ）、有機発光ダイオード（ＯＬＥＤ）、レーザーダイオード（ＬＤ）、または光を発生させる他のタイプの素子を表すことができる。光源１０２は低青色光源であることができ、光源１０４は高青色光源を表すことができる。光源１０２、１０４はそれぞれ、白色または実質白色光を発生させることができるが、異なる相関色温度（ＣＣＴ）を有する。例えば、光源１０２によって発生する光は、光源１０４によって発生する光よりも低いＣＣＴを有してもよい。システム１００は、異なる光源１０２または１０４に、（他方の光源１０４または１０２に同時に光を発生させずに）異なる時に光を発生させることによって、ならびに／あるいは光源１０２、１０４に同時に光を発生させて、実質中間または温白色光（例えば、約２７００Ｋ〜約３０００Ｋもしくは別の値のＣＣＴを有する光）を発生することによって動作してもよい。「約」という用語は、ＣＣＴが、１０％、５％、３％、または１％以内など、規定値の指定範囲内にあってもよいことを示すことができる。
【００２２】
１つの態様では、光源１０２は、約２５００Ｋ以下のＣＣＴを有する光を発生させてもよい。光源１０２によって発生する光は、一実施形態では、約１５００Ｋ〜２０００Ｋの低い、または更には約１０００Ｋの低いＣＣＴを有してもよい。光源１０４は、少なくとも約３２００ＫのＣＣＴを有する光を発生させてもよい。光源１０４によって発生する光は、一実施形態では、１０，０００Ｋ〜１５，０００Ｋ、またはそれ以上の高いＣＣＴを有してもよい。光源１０２の一例は、約２０００ＫのＣＣＴを有するＧＥ  ＡＬＩＧＮ  ＰＭ光源であるが、光源１０２は、任意に、実質白色光、および／または約２５００Ｋ未満の（例えば、少なくとも約１５００Ｋで約２５００Ｋ以下の、もしくは更には約１０００Ｋ程度の低い）ＣＣＴを有する光を放射する、任意の光源を含むことができる。光源１０４の一例は、約７０００ＫのＣＣＴを有するＧＥ  ＡＬＩＧＮ  ＡＭ光源であるが、光源１０４は、任意に、実質白色光、および／または約３２００Ｋ超過の（例えば、約６５００Ｋ程度の高い、または更には約１５，０００Ｋもしくはそれ以上の）ＣＣＴを有する光を放射する、任意の光源を含むことができる。
【００２３】
光源１０２によって発生する光における低量の青色光に人体を暴露することによって、体内のメラトニン分泌抑制を制限することができ、睡眠サイクル／概日リズムを調節する、特に夜間に入眠する助けとなる。例えば、身体は、光源１０２によって発生する低青色光に暴露されると、より簡単にメラトニンを産生することが可能なことがある。光源１０４によって発生する光におけるより多量の青色光に暴露することで、体内のメラトニン産生を抑制することができ、光源１０２の低青色光に暴露したときよりも、意識をはっきりさせ身体を覚醒させる助けとなる。
【００２４】
一実施形態では、光源１０２は、リン光体１０８、１１０が上に配設された１つ以上の青色ＬＥＤ  １０６を含む。リン光体１０８、１１０は、ＬＥＤ  １０６によって発生する青色光を変換または部分的に変換する、ＬＥＤ  １０６上のコーティングまたはカバーを表してもよい。例えば、リン光体１０８は、ＬＥＤ  １０６によって発生する青色光を黄色光に部分的に変換して、一部の伝送された青色光と混合する、黄色リン光体コーティング（例えば、イットリウムアルミニウムガーネット（ＹＡＧ）から形成されたコーティング）を表してもよい。
【００２５】
リン光体１１０は、赤色放射リン光体コーティングを表すことができる。このコーティングは、ＰＦＳまたはＫ2［ＳｉＦ6］：Ｍｎ4+など、狭帯域赤色エミッタから形成することができる。あるいは、リン光体１１０は別の材料から形成されてもよい。あるいは、リン光体１１０は、赤色放射リン光体コーティングの組み合わせを表すことができる。例えば、リン光体１１０は、広帯域赤色放射窒化物リン光体（ＣａＡｌＳｉＮ3：Ｅｕ2+の一般式を有するリン光体など）および狭帯域赤色放射リン光体を含むことができる。
【００２６】
一実施形態では、リン光体１１０は、赤色放射リン光体コーティングの組み合わせを表すことができる。例えば、リン光体１１０は、広帯域赤色放射窒化物リン光体および狭帯域赤色放射リン光体を含むことができる。一実施形態では、リン光体１１０は、広帯域赤色放射窒化物リン光体と、その１％以上を狭帯域赤色放射リン光体に置き換えることによって形成される。様々な実施形態では、リン光体１１０のうち、広帯域赤色放射窒化物リン光体の次の量を、狭帯域赤色放射リン光体に置き換えてもよい。０％（その場合、リン光体１１０は広帯域赤色放射窒化物リン光体のみである）、２５％、５０％、および１００％（その場合、リン光体１１０は狭帯域赤色放射リン光体のみである）、または０％〜１００％の任意の量。置換えの比率は、光の赤色領域におけるスペクトルパワーを表し、必ずしも重量パーセントまたはモルパーセントを指すものではない。広帯域赤色放射リン光体は、広帯域赤色放射窒化物リン光体のスペクトル出力の決定されたスペクトル量が、狭帯域赤色放射リン光体に置き換えられるという点で、部分的に狭帯域赤色放射リン光体に置き換えられてもよい。例えば、広帯域赤色放射窒化物リン光体の５０％を狭帯域赤色放射リン光体に置き換えることは、赤色放射リン光体それぞれからの等しい比率の放射パワーが、光源１０２からの複合スペクトル中に存在することを意味し得る。
【００２７】
広帯域赤色放射リン光体の少なくとも一部を狭帯域赤色放射リン光体と置き換えることで、ＣＲＩ、Ｒ9、ＧＡＩ、および／またはＬＰＩなどの色品質測定を改善することができる。ＬＰＷr（スペクトル効率の基準である、放射ワット数当たりのルーメン）の増加は、広帯域赤色放射リン光体の少なくとも一部を狭帯域赤色放射リン光体と置き換えることによって得られてもよい。
【００２８】
次の表は、図１に示されるリン光体１１０を形成するのに使用されてもよい、赤色放射リン光体のいくつかの組み合わせを列挙している。
【００２９】
【表１】
0006802803.tif 000002
上記表の第１列は、狭帯域赤色放射リン光体からである、赤色リン光体１１０からの総放射パワーの比率を示し、表の第２列は、光源１０２からの複合スペクトルの演色評価数（ＣＲＩ）値を示し、第３列は、光源１０２からの複合スペクトルの標準的な飽和赤色の忠実度に関するＲ9値を示し、第４列は、光源１０２からの複合スペクトルの色域指数（ＧＡＩ）（光源によって照明されるオブジェクト色の相対分離を示す）を表し、第５列は、国際出願公開ＷＯ２０１５／０３５４２５に記載されているような、光源１０２からの複合スペクトルの照明選好指数（ＬＰＩ）を表し、第６列は、光源１０２からの複合スペクトルの放射ワット数当たりのルーメン（ＬＰＷｒ）を表している。上記表のリン光体の様々な組み合わせによって発生する光のＣＣＴは、約２０００Ｋ（例えば、２０４３Ｋ）であり、Ｄｕｖ値は０．０００である。表に示されるように、広帯域赤色エミッタの１００％を狭帯域赤色エミッタと置き換えた結果として、少なくとも、Ｒ9（３１から８５へ）、ＧＡＩ（２７から３０へ）、ＬＰＩ（９４から１１０へ）、およびＬＰＷｒ（２７５から３２１へ）の測定における顕著な利得が見られた。
【００３０】
図１ｂは、明所視ルーメンおよび概日ルーメン（「青色光」）それぞれに関連する作用スペクトル１５０および１６０を示している。光源の明所視ルーメンのフラックスは、光源のＳＰＤを用いて、明所視ルーメンに関して、作用スペクトル１５０の可視スペクトル（３８０〜７６０ｎｍ）上での積分によって与えられる。光源の概日ルーメンのフラックスは、光源のＳＰＤを用いて、概日ルーメンに関して、作用スペクトル１６０の可視スペクトル（３８０〜７６０ｎｍ）の上での積分によって与えられる。
【００３１】
図２は、一実施例による、図１ａに示される光源１０２の様々な実施形態のＳＰＤを示している。スペクトルパワー分布は、ＳＰＤ  ２００、２０２、２０４、２０６、２０８を含み、これらは、光源１０２によって発生する光の波長を表す横軸２１０、および異なる波長で光源１０２によって放射される放射パワーを表す縦軸２１２と並んで示されている。分布２００は、狭帯域赤色放射リン光体１００％から形成されたリン光体１１０を有する光源１０２を表す。分布２０２は、広帯域赤色放射リン光体による５０％の放射パワーと、狭帯域赤色放射リン光体による５０％の放射パワーとをもたらすリン光体１１０を有する光源１０２を表す。分布２０４は、広帯域赤色放射リン光体による７５％の放射パワーと、狭帯域赤色放射リン光体による２５％の放射パワーとをもたらすリン光体１１０を有する光源１０２を表す。分布２０６は、広帯域赤色放射リン光体１００％から形成されたリン光体１１０を有する光源１０２を表す。分布２０８は、ＧＥ  ＡＬＩＧＮ  ＰＭ光源など、公知の光源によって発生する光を表す。
【００３２】
図２のＳＰＤによって示されるように、分布２００、２０２（特に、分布２００）は、図２に示される他の分布と比較したとき、６００〜６５０ナノメートルの波長を有する光でスペクトルパワーが大きく増加することを示している。このことは、光のこれらの波長のパワーにおける顕著な利得が、リン光体１１０の広帯域赤色エミッタの５０％または１００％を狭帯域赤色エミッタに置き換えることによって得られることを示している可能性がある。
【００３３】
光源１０４に関して、光源１０４は、リン光体１１２が上に配設された１つ以上の青色ポンピングＬＥＤ  １０６を含むことができる。リン光体１１２は、ＬＥＤ  １０６によって発生する光を変換または部分的に変換する、ＬＥＤ  １０６上のコーティングまたはカバーを表してもよい。例えば、リン光体１１２は、ＬＥＤ  １０６によって発生する青色光を黄色光に部分的に変換して、一部の伝送された青色光と混合する、黄色リン光体コーティング（例えば、イットリウムアルミニウムガーネット（ＹＡＧ）から形成されたコーティング）を表してもよい。あるいは、リン光体１１２は、黄色リン光体（例えば、ＹＡＧ）と赤色リン光体（例えば、広帯域赤色窒化物もしくは狭帯域赤色エミッタ）のブレンド、あるいは複数のタイプの黄色および／または赤色リン光体、あるいは他の組み合わせなど、リン光体の組み合わせを表してもよい。
【００３４】
光源１０４は、約３２００Ｋ超過で約１５，０００Ｋ以下、またはそれ以上のＣＣＴを有する光を発生させることができる。青色の含有量が多いかかる高ＣＣＴ光は、メラトニンを抑制することによって健康上の利益を有することがあり、それによってユーザが、特にユーザが起床する朝において、自分の睡眠サイクルまたは概日リズムをより簡単に調節することができる。
【００３５】
次の表は、光源１０４の異なる実施形態の異なる特性を列挙している。
【００３６】
【表２】
0006802803.tif 000003
上記表の第１列は、（ＬＥＤ  １０６上のリン光体１１２のタイプが異なる）光源１０４の実施形態を示し、第２列は、対応する実施形態のＣＲＩ値を示し、第３列は、対応する実施形態のＲ9値を示し、第４列は、対応する実施形態のＧＡＩを表し、第５列は、対応する実施形態の照明選好指数を表し、第６列は、対応する実施形態の放射ワット数当たりのルーメンを表している。表の様々な実施形態によって発生する光のＣＣＴは約７０００Ｋであり、Ｄｕｖ値は０．０００である。
【００３７】
「基線」の実施形態は、赤色エミッタ（例えば、広帯域赤色窒化物もしくは狭帯域赤色リン光体）によって生成される、スペクトルパワーがゼロまたは実質的にゼロである、高色温度の光を発生させる青色ポンピングＬＥＤ  １０６を表している。光源１０４の「シフトＹＡＧ」の実施形態は、ピーク波長を約５５０ナノメートル（半波高全幅値（ＦＷＨＭ）は約１１０ナノメートル）から約５４０ナノメートル（ＦＷＨＭは約１１０ナノメートル）に移動またはシフトさせた、ＹＡＧリン光体１１２を有する青色ポンピングＬＥＤ  １０６を含む。「シフトＹＡＧ」の実施形態はまた、約６２０ナノメートルのピーク放射波長および約８５ナノメートルのＦＷＨＭ幅を有するモデル広帯域赤色放射窒化物リン光体など、発生する光に対して広帯域赤色寄与を提供する赤色エミッタを含む。この赤色エミッタは、リン光体１１２に含めるか、またはリン光体１０８、１１０に関連して上述したのと同様に、追加のリン光体コーティングとして追加することができる。赤色エミッタは、光の色およびＣＣＴを、選択または指定された値（例えば、７０００Ｋ、または約３２００Ｋ〜約１５，０００Ｋの範囲もしくは更に高い任意のＣＣＴ）で維持するのを助けることができる。「シフトＹＡＧ＋ＰＦＳ」と呼ばれる実施形態は、発生する光のスペクトルに対する赤色寄与全てが、（「シフトＹＡＧ」の実施形態のように）モデル広帯域赤色放射窒化物リン光体ではなく、モデル（狭帯域赤色）放射スペクトルから得られる点を除いて、「シフトＹＡＧ」の実施形態と同じである光源１０４を指す。
【００３８】
上記表に示されるように、「シフトＹＡＧ＋ＰＦＳ」と呼ばれる高青色成分光源１０４は、狭帯域赤色エミッタを使用しない（または、ＰＦＳリン光体の放射スペクトルから得られる赤色エミッタを含まない）比較対象の高青色成分光源よりも予想外に高いＣＲＩ、Ｒ9、ＧＡＩ、およびＬＰＩ値を有していた。窒化物の代わりに狭帯域赤色エミッタを使用することで、より高いスペクトル効率（放射ワット数当たりのルーメン）が得られた。
【００３９】
図３は、一実施例による、図１ａに示される光源１０４の様々な実施形態のＳＰＤを示している。スペクトルパワー分布は、ＳＰＤ  ３００、３０２、３０４を含み、これらは、上述した軸２１０、２１２と並んで示されている。分布３０４は、赤色リン光体もしくは他の赤色エミッタを有さない（例えば、リン光体１１２を備える、ピーク波長が約５５０ｎｍのＹＡＧリン光体のみを有する）光源１０４によって発生する光、または上述の「基線」の実施形態を表す。分布３０２は、ＹＡＧリン光体（ピーク波長約５４０ｎｍおよびＦＷＨＭ約１１０ｎｍ）と、リン光体１１２を備える広帯域赤色窒化物リン光体（ピーク波長約６２０ｎｍおよびＦＷＨＭ約８５ｎｍ）とを有する光源１０４によって発生する光、または「シフトＹＡＧ」の実施形態を表す。分布３００は、「シフトＹＡＧ」の実施形態のＹＡＧリン光体１１２を有する光源１０４によって発生する光を表すが、発生した光のスペクトルに対する赤色寄与の全てが、モデル（狭帯域赤色）放射スペクトルから得られる。図３に示されるように、光源１０４の「シフトＹＡＧ＋ＰＦＳ」の実施形態は、他の実施形態と比べて、約６００ナノメートル〜約６５０ナノメートルの波長を有する光のより高い強度を提供する。
【００４０】
図１ａに示されるランプシステム１００は、上述した２つの異なるタイプの成分光源１０２、１０４におけるスペクトルの混合物から形成される光を発生させてもよい。スペクトルの混合は、例えば約２５００Ｋ〜約３２００Ｋの、成分光源１０２および１０４のＣＣＴ間の範囲内にある中間ＣＣＴを作り出すか、または好ましくは、約２７００Ｋ〜約３０００Ｋの範囲のＣＣＴを有する温白色光を作り出すように制御することができる。このタイプの中間または温白色光は多くの消費者によって好まれる。低青色低ＣＣＴ成分光源１０２および高青色高ＣＣＴ光源１０４を組み合わせて、一日を通して使用することができる、向上した汎用の光をもたらしてもよい。１つ以上の実施形態では、ライトシステム１００によって発生する光の色点は、黒体放射軌跡未満であって、白色線（もしくは「白体放射軌跡」）付近または選好放射軌跡付近であってもよく、その結果、黒体付近の一般的な中間または温白色ランプよりも、多くの消費者にとって好ましい光をもたらすことができる。
【００４１】
次の表は、上述した光源１０２、１０４の実施形態のいくつかの異なる組み合わせから形成された、ライトシステム１００の様々な温白色の実施形態を示している。
【００４２】
【表３】
0006802803.tif 000004
上記表の第１列は、高青色光源１０４の実施形態を示し、第２列は、システム１００の一実施形態に含まれる低青色光源１０２の実施形態を示している。第３〜第７列は、システム１００の対応する実施形態に関する、上述したような、ＣＲＩ、Ｒ9、ＧＡＩ、ＬＰＩ、およびＬＰＷｒの値を示している。システム１００のこれらの実施形態によって発生する光の色温度は約３０００Ｋ、Ｄｕｖは−０．０１３である。
【００４３】
上記表に示されるように、構成要素１０８、１１０、１１２の１つ以上において狭帯域赤色エミッタを備える光源１０２、１０４を含むシステム１００の実施形態は、構成要素１０８、１１０、１１２の１つ以上に狭帯域赤色エミッタを含まない同じランプシステム１００よりも、高いＧＡＩ値およびＬＰＩ値を有する光を提供する。本明細書に記載する主題の発明者らは、より狭帯域の赤色放射が光源１０２および／または光源１０４の構成要素１０８、１１０、１１２に含まれるので、ＧＡＩおよびＬＰＩの値は増加することを発見している。それに加えて、２５％または５０％の狭帯域赤色エミッタを低青色光源１０２に備えるシステム１００のいくつかの実施形態は、非常に高いＣＲＩおよび非常に高いＲ9の両方を有していた。例えば、「シフトＹＡＧ＋ＰＦＳ」光源１０４および「２５％ＰＦＳ」光源１０２を有するシステム１００の実施形態は、９３のＣＲＩ（最大値を１００とするスケールで）および９４のＲ9を有していた。上記表に示される実施形態の多くでは、リン光体の窒化物を狭帯域赤色エミッタと置き換えることで、光源１０２の「１００％ＰＦＳ」の実施形態を含むシステム１００の実施形態などのように、より高いスペクトル効率（ＬＰＷｒ）ももたらされた。
【００４４】
一実施形態では、システム１００から放射される実質中間光は、少なくとも８０のＲ9値、少なくとも８０の色域指数値、および／または少なくとも１１０の照明選好指数のうち１つ以上を含む。
【００４５】
図４および５は、一実施例による、図１ａに示される多重チャネルランプシステム１００の様々な実施形態のＳＰＤを示している。図４に示されるスペクトルパワー分布は、分布４００、４０２、４０４、４０６を含み、図５に示されるスペクトルパワー分布は、分布５００、５０２、５０４、５０６を含む。これらの分布は全て、上述した軸２１０、２１２と並んで示されている。
【００４６】
図４では、分布４００は、「基線」高青色光源１０４および「基線」低青色光源１０２の両方が同時に光を発生する、システム１００によって発生する光を表す。分布４０４は、「基線」高青色光源１０４および「５０％ＰＦＳ」低青色光源１０２の両方が同時に光を発生する、システム１００によって発生する光を表す。分布４０６は、「基線」高青色光源１０４および「１００％ＰＦＳ」低青色光源１０２の両方が同時に光を発生する、システム１００によって発生する光を表す。
【００４７】
図５では、分布５００は、「シフトＹＡＧ＋ＰＦＳ」高青色光源１０４および「基線」低青色光源１０２の両方が同時に光を発生する、システム１００によって発生する光を表す。分布５０２は、「シフトＹＡＧ＋ＰＦＳ」高青色光源１０４および「２５％ＰＦＳ」低青色光源１０２の両方が同時に光を発生する、システム１００によって発生する光を表す。分布５０４は、「シフトＹＡＧ＋ＰＦＳ」高青色光源１０４および「５０％ＰＦＳ」低青色光源１０２の両方が同時に光を発生する、システム１００によって発生する光を表す。分布５０６は、「シフトＹＡＧ＋ＰＦＳ」高青色光源１０４および「１００％ＰＦＳ」低青色光源１０２の両方が同時に光を発生する、システム１００によって発生する光を表す。
【００４８】
図４および５に示されるように、「基線」高青色光源１０４および「１００％ＰＦＳ」低青色光源１０２を有するランプシステム１００の第１の実施形態、ならびに「シフトＹＡＧ＋ＰＦＳ」高青色光源１０４および「１００％ＰＦＳ」低青色光源１０２を有するランプシステム１００の第２の実施形態は、ランプシステム１００の他の実施形態と比較して、約６００ナノメートル〜約６５０ナノメートルの波長を有する光の予想外に高い強度を有する光スペクトルを生成する。「シフトＹＡＧ＋ＰＦＳ」高青色光源１０４および「１００％ＰＦＳ」低青色光源１０２を有するランプシステム１００の第２の実施形態は、ランプシステム１００の第１の実施形態と比較して、約６００ナノメートル〜約６５０ナノメートルのより高い強度を有する光スペクトルを生成する。
【００４９】
図６は、ｕ’、ｖ’色度空間６００（例えば、国際照明委員会（ＣＩＥ）１９７６のｕ’、ｖ’色度空間）における、黒体（プランク）放射軌跡または線（「ＢＢＬ」）６０２を示している。色度空間６００は色空間と呼ばれることがある。いくつかの等色温度等高線６０４が図６に示されており、等高線６０４は、１８００Ｋ未満のＣＣＴから１０，０００Ｋ超過のＣＣＴまで及ぶ。図示される等温等高線６０４は３０００ＫのＣＣＴを表す。等温等高線は、一般に、ＢＢＬに垂直であってＢＢＬの上下に延在する。ＢＢＬからの距離は、Ｄｕｖ、即ちＣＩＥ  １９６０のｕｖ色度空間におけるユークリッド距離として計算され、所与のＣＣＴにおける等温等高線に沿って、正の値はＢＢＬの上方の距離に対応し、負の値はＢＢＬの下方の距離に対応する。
【００５０】
図７は、一実施例による、色度空間６００における白体放射軌跡（「ＷＢＬ」）７１０を示している。ＷＢＬ  ７１０の色合い上限または上方境界７１２および色合い下限または下方境界７１４も、図７に示されており、限界は±２％の色合いを表す。ＷＢＬ  ７１０および色合い限界７１２、７１４は、２７００ＫのＣＣＴ下限または下方境界７１８から、６５００ＫのＣＣＴ上限または上方境界７１６まで延在する。図７に示されるＷＢＬ  ７１０は、２０１３  Ｆｒｅｙｓｉｎｎｉｅｒ文献によって説明されている白体放射軌跡を表す。このＷＢＬ  ７１０および色合い限界７１２、７１４は、ヒト被験体によって所与のＣＣＴにおける最小限の色合いを有するものと知覚される白色光を発生させることが２０１３  Ｆｒｅｙｓｉｎｎｉｅｒ文献によって見出された、指定された一連のＣＣＴおよび色合いを表す（異なる色合いは、同じ等温等高線６０４に沿った異なる距離を、即ちＤｕｖ値を表す）。色合い限界７１２、７１４および境界７１６、７１８によって包含される範囲内に位置するＣＣＴおよび色合いを有する光は、人間に好まれる白色光を提供する。
【００５１】
図８は、一実施例による、色度空間６００における選好放射軌跡８２０を示している。選好放射軌跡８２０は、色度空間６００におけるＢＢＬ  ６０２の形状に沿う線であるが、選好放射軌跡８２０をＢＢＬ  ６０２からずらした色合いを有する。図示される実施例では、色合いのずれは−０．０１５のＤｕｖである。選好放射軌跡８２０は、ＢＢＬ  ６０２と一致する色合いの上限または上方境界８２２（例えば、上限８２２はゼロの色合いまたはＤｕｖを有する）、およびＢＢＬ  ６０２から−０．０３０のＤｕｖ分ずれた色合いを有する色合い下限または下方境界８２４と関連付けられる。選好放射軌跡８２０および限界８２２、８２４は、一般に、ヒト被験体にとってより自然に見える白色光を生じるＣＣＴおよび色合いを提供するものとして、２０１５  Ｏｈｉｏ文献から決定される。選好放射軌跡８２０および限界８２２、８２４は、２２００ＫのＣＣＴ下方境界または下限８２８から、６５００ＫのＣＣＴ上限または上方境界まで延在する。限界８２２、８２４および境界または限界８２６、８２８によって包含される範囲内に位置するＣＣＴおよび色合いを有する光は、人間に好まれる温白色光を提供する。
【００５２】
図９は、一実施形態による、色度空間６００における選好色点の指定範囲を示している。指定範囲は、図７に示されるＷＢＬ  ７１０および関連する色合い限界７１２、７１４と、図８に示される選好放射軌跡８２０および限界８２２、８２４との結合または組み合わせとして形成される。指定範囲は、図８に示される下限８２４と、ＣＣＴ上限７１６、８２６と、ＣＣＴ下限８２８と、図７および８に示される上限７１２、８２２の組み合わせとによって境界が定められる外側範囲９１０を含む。ＣＣＴ上限７１６、８２６は一致して、外側指定範囲の組み合わされたＣＣＴ上限または境界９３０を形成する。内部または内側範囲９２０は、より多くの選好色を表し、ＷＢＬ  ７１０と、ＣＣＴ下限７１８と、選好放射軌跡８２０と、組み合わされたＣＣＴ上限９３０とによって境界が定められる。内側指定範囲９２０内にある色は、ヒト被験体が外側指定範囲９１０内にある色よりも好む白色光を表すことがあるが、外側指定範囲９１０内にある色は、外側指定範囲９１０外にある色よりも白色光として好まれることがある。ここで、「色」という用語は、「色度」と交換可能に使用され、飽和色相ではなく、色度空間内の任意の放射軌跡を暗示するものである。
【００５３】
本明細書に記載する１つ以上の実施形態によれば、図１ａに示される光源１０２、１０４は、色度空間６００内における光源１０２、１０４の色点を接続する対応線が、図９に示される選好色の外側および／または内側指定範囲内にある１つ以上の指定範囲を横切って、そこを越えて、またはそこを通って延在するようにして、選択されてもよい。選好色の外側および／または内側指定範囲内にある１つ以上の指定範囲を横切って、そこを越えて、またはそこを通って延在する対応線によって接続される、光源１０２、１０４の組み合わせは、人間の好みに対してピンク色、黄色、緑色などが強すぎることがある他の白色光よりも、ヒト被験体に好まれる白色光を提供することができる。
【００５４】
図１０は、一実施形態による、色度空間６００における３つの指定の選好帯域１０１０、１０２０、１０３０を示している。帯域１０１０は、図７に示されるＷＢＬ  ７１０のＣＣＴ下限７１８（２７００Ｋ）と、図８に示される選好放射軌跡８２０と、３０００Ｋの指定等温等高線６０４と、図７に示されるＷＢＬ  ７１０とによって境界が定められる。あるいは、１つ以上の他の境界が、帯域１０１０に対して選択されてもよい。例えば、帯域１０１０の上方および下方境界は、白色度および自然度に関する観察者の知覚の近似曲線を提供する、色選好の調査によって決定されるので、帯域１０１０は、Ｄｕｖ方向でわずかに高いかまたは低く、ただし帯域１０２０の上限および下限ほど高くも低くもないことが予測される。帯域１０１０は、色度空間６００における１つ以上の他の組または範囲よりも、２７００Ｋ〜３０００Ｋの範囲の温白色光として最も好まれる色を表すことができる。
【００５５】
帯域１０２０は、帯域１０１０以外で、色度空間６００における１つ以上の他の組または範囲よりも、２５００Ｋ〜３２００Ｋの範囲の温白色光として好まれる色を表す。例えば、帯域１０１０が包含する色は、温白色光の生成に関して帯域１０２０が包含する色よりも好まれることがあるが、帯域１０２０が包含する色は、帯域１０２０外の色よりも温白色光として好まれることがある。帯域１０２０は、ＣＣＴ下方境界１０４０に対する２５００Ｋの指定等温等高線６０４と、選好放射軌跡８２０から−０．０１０のＤｕｖ分ずれた、またはＢＢＬ  ６０２から−０．０２５のＤｕｖ分ずれた、選好放射軌跡８２０の等高線に沿った色合い下限または下方境界と、ＣＣＴ上方境界１０５０に対する３２００Ｋの指定等温等高線６０４と、選好放射軌跡８２０から＋０．０１０のＤｕｖ分ずれた、またはＢＢＬ  ６０２から−０．００５のＤｕｖ分ずれた、選好放射軌跡８２０の等高線に沿った色合い上限または上方境界とによって境界が定められる。あるいは、帯域１０２０の境界１０４０、１０５０の１つ以上は、異なるＣＣＴに沿って延在し、ならびに／あるいは異なる量だけ選好放射軌跡８２０からずれてもよい。例えば、帯域１０２０の上方および下方境界は、白色度および自然度に関する観察者の知覚の近似曲線を提供する、色選好の調査によって決定されるので、帯域１０２０は、Ｄｕｖ方向でわずかに高いかまたは低く、ただし帯域１０３０の上限および下限ほど高くも低くもないことが予測される。
【００５６】
帯域１０３０は、帯域１０１０、１０２０以外で、色度空間６００における１つ以上の他の組または範囲よりも、２５００Ｋ〜３２００Ｋの範囲の温白色光として好まれる色を表す。例えば、帯域１０１０、１０２０が包含する色は、温白色光の生成に関して帯域１０３０が包含する色よりも好まれることがあるが、帯域１０３０が包含する色は、帯域１０３０外の色よりも温白色光として好まれることがある。帯域１０３０は、２５００ＫのＣＣＴ下限１０５０と、色合い下限８２４と、３２００Ｋの指定等温等高線１０４０と、色合い上限８２２、またはＢＢＬ  ６０２とによって境界が定められる。あるいは、これらの限界または等高線の１つ以上は、異なるＣＣＴに沿って延在し、ならびに／あるいは異なる量だけ選好放射軌跡８２０からずれてもよい。
【００５７】
光源１０２、１０４によって発生する光の様々な異なる組み合わせが、帯域１０１０、１０２０、１０３０の１つ以上の中にある温白色光を発生させるのに使用されてもよい。本明細書に記載する例は、選好色点における温白色光を生成するのに光源１０２、１０４によって発生させてもよい光の色点の組み合わせを、全てではないがいくつか提供する。色度空間６００内の色点は、本明細書に記載するような、光源１０２または１０４によって発生する光の色を表す。色度空間６００内の対応線は、光源１０２、１０４の指定の組み合わせにおける、光源１０２、１０４の色点間の接続を表す。本明細書で提供されるいくつかの例は、光源１０２、１０４が別々に、好ましい色点にそれぞれ位置する低および高ＣＣＴ光をそれぞれ提供するように、ただしこれらの光源１０２、１０４が、好ましい帯域１０１０、１０２０、１０３０の１つ以上（もしくは別の帯域）にある温白色光を有する組み合わされた光を提供することもできるように、光源１０２、１０４によって発生する異なる光の色点を配置することができる、色度空間内の異なる範囲を説明している。本明細書で提供される例は、本発明の主題の全ての実施形態に限定するものではなく、光源１０２、１０４によって発生する光の色点（例えば、ＣＣＴ、Ｄｕｖ値など）を決定するためのいくつかの技術を提供する。
【００５８】
図１１は、一実施形態による、図１０に示される帯域１０１０内の温白色光を発生させるのに使用することができる、選好色点にそれぞれ位置する光源１０２、１０４の組み合わせの例を示している。高ＣＣＴ色点１１２０は、光源１０４によって生成される光の色点または色を表す。高ＣＣＴ色点１１２０は、ＢＢＬ  ６０２と限界９３０（図９に図示、または限界７１６、８２６）の交点に位置し、したがって、６５００ＫのＣＣＴを有する高青色光源の選好色点にある。光源１０２を光源１０４と共に使用して、帯域１０１０内の色を有する温白色光を生成する光源１０２、１０４の組み合わせとするために、光源１０２、１０４の色点間の対応線は、帯域１０１０を横切って、またはそこを通って延在することが必要なことがある。光源１０４の色点１１２０を用いると、２つの外側対応線１１３８、１１４０は、色点１１２０から延在するか、またはそれと交差する一方で、図１０に示されるように、帯域１０１０の外縁部を越えて延在する、対応線を表す。
【００５９】
外側対応線１１３８、１１４０と１つ以上の等温等高線６０４の交点は、光源１０２によって発生する光の色を表すことができる追加の色点１１３０、１１３２、１１３４、１１３６を示すことができ、それらはそれぞれ低青色光源の選好色点にある。光源１０２によって生成されるこれらの選好色点１１３０、１１３２、１１３４、１１３６の１つ以上によって表される色と、光源１０４の選好色点１１２０によって表される色との組み合わせは、帯域１０１０内の好ましい温白色光を有する光を生成することができる。色点１１３０は、２２００ＫのＣＣＴの等温等高線６０４上における色合いまたはＤｕｖの下限を表し、色点１１３６は、２２００ＫのＣＣＴの等温等高線６０４上における色合いまたはＤｕｖの上限を表す。これは、色点１１２０の色を生成する光源１０４を使用するためには、光源１０２が、約２２００ＫのＣＣＴに位置する場合に、色点１１３０、１１３６によって示される限界の間の色合いまたはＤｕｖを有する光を発生させる必要があり得ることを示す。あるいは、異なるＣＣＴが光源１０２に使用される場合、色合いまたはＤｕｖの範囲は多少限定されることがある。例えば、一実施形態では、光源１０２、１０４によって発生する光の色点は、色空間６００のＢＢＬ  ６０２またはその下方に留まる。対応線１１３８は、ＣＣＴが約２１００ＫでＤｕｖがゼロである、ＢＢＬ  ６０２に位置する色点１１３４まで延在する。対応線１１４０は、ＣＣＴが約１８００ＫでＤｕｖがゼロである、ＢＢＬ  ６０２に位置する色点１１３２まで延在する。
【００６０】
これらの色点１１３０、１１３２、１１３４、１１３６は、光源１０４によって発生する色点１１２０と組み合わせて使用したときの、光源１０２によって発生する光の色に対する、ＣＣＴの範囲および色合いの範囲（例えば、Ｄｕｖ値）の外側限界を表すことができる。色点１１３０、１１３２、１１３４、１１３６は、対応線１１３８、１１４０が、色点１１２０から延在し、帯域１０１０の最外縁部で帯域１０１０を横切って延在すると共に、色点１１３０、１１３２、１１３４、１１３６でＢＢＬ  ６０２およびＣＣＴ下方境界８２８と交差する、対応線であることに基づいて決定することができる。
【００６１】
ＣＣＴおよびＤｕｖ値の範囲は、色点１１３６から色点１１３４まで延在する線と、ＢＢＬ  ６０２に沿って色点１１３４から色点１１３２まで延在する線と、色点１１３２から色点１１３０まで延在する線と、ＣＣＴ下限８２８に沿って（例えば、２２００Ｋの等温等高線６０４に沿って）延在する線とによって、色空間６００内で定義することができる。これらの線および／または色点１１３０、１１３２、１１３４、１１３６によって定義される範囲内にある様々な色点を、色点１１２０と共に使用して、帯域１０１０内の混合中間光を提供してもよい。例えば、４つの低ＣＣＴ色点１１３０、１１３２、１１３４、１１３６は、低ＣＣＴ光源１０２に対する色点の最も好ましい帯域の四辺形を定義し、その光源は、ＢＢＬ  ６０２上またはその付近において約６５００Ｋの高ＣＣＴ光源１０４と組み合わされると、最も好ましい（例えば、帯域１０１０内にあるかもしくはそこを横切って延在する）組み合わせの温白色光を提供する。
【００６２】
図１２は、一実施形態による、図１０に示される帯域１０１０内の温白色光を発生させるのに使用することができる、光源１０２、１０４の組み合わせの別の例を示している。図１２に示される例は、高ＣＣＴ光源１０４が、ＷＢＬ  ７１０と６５００ＫのＣＣＴの等温等高線６０４の交点（例えば、境界７１６、８２６、９３０）にある色点１２２０を有するとき、低ＣＣＴ光源１０２に対して使用されてもよい色点に対する限界を表し、光源１０２、１０４によって発生する色を表す色点を接続する対応線は、帯域１０１０を横切って、またはそこを通って延在する。例えば、対応線１２３８、１２４０は、帯域１０１０の外縁部もしくは境界を横切って、またはそこに沿って延在する。対応線１２３８は、色点１２３６でＣＣＴ下方境界８２８と交差し、対応線１２４０は、色点１２３０でＣＣＴ下方境界８２８と交差する。これらの色点１２３０、１２３６は、低ＣＣＴ光源１０２に使用することができる、２２００ＫのＣＣＴの等温等高線６０４に沿って延在する色点に対する限界を表すことができる。対応線１２３８は色点１２３４でＢＢＬ  ６０２と交差し、対応線１２４０は、図１２では見えていないが色点１２３２によって表され、１８００Ｋ未満（例えば、１７００〜１０００Ｋ）のＣＣＴで生じる位置で、ＢＢＬ  ６０２と交差する。
【００６３】
これらの色点１２３０、１２３２、１２３４、１２３６は、光源１０４によって発生する色点１２２０と組み合わせて使用したときの、光源１０２によって発生する光の色に対する、ＣＣＴの範囲および色合いの範囲（例えば、Ｄｕｖ値）の外側限界を表すことができる。色点１２３０、１２３２、１２３４、１２３６は、対応線１２３８、１２４０が、色点１２２０から延在し、帯域１０１０の最外縁部で帯域１０１０を横切って延在すると共に、色点１２３０、１２３２、１２３４、１２３６でＢＢＬ  ６０２およびＣＣＴ下方境界８２８と交差する、対応線であることに基づいて決定することができる。ＣＣＴおよびＤｕｖ値の範囲は、色点１２３６から色点１２３４まで延在する線と、色点１２３４から色点１２３２まで延在する線と、色点１２３２から色点１２３０まで延在する線と、ＣＣＴ下限８２８に沿って（例えば、２２００Ｋの等温等高線６０４に沿って）延在する線とによって、色空間６００内で定義することができる。色点１２３０、１２３２、１２３４、１２３６によって定義される形状内にある様々な色点を、色点１２２０と共に使用して、帯域１０１０内の混合中間光を提供してもよい。
【００６４】
図１３は、一実施形態による、図１０に示される帯域１０１０内の温白色光を発生させるのに使用することができる、光源１０２、１０４の組み合わせの別の例を示している。図１３に示される例は、高ＣＣＴ光源１０４が、図７に示されるような色合い上限７１２と、６５００ＫのＣＣＴの等温等高線６０４との交点（例えば、境界７１６、８２６、９３０）にある色点１３２０を有するとき、低ＣＣＴ光源１０２に対して使用されてもよい色点に対する限界を表し、光源１０２、１０４によって発生する色を表す色点を接続する対応線は、帯域１０１０を横切って、またはそこを通って延在する。
【００６５】
例えば、対応線１３３８、１３４０は、帯域１０１０の外縁部もしくは境界を横切って、またはそこに沿って延在する。対応線１３３８は、色点１３３６でＣＣＴ下方境界８２８と交差し、対応線１３４０は、色点１３３０でＣＣＴ下方境界８２８と交差する。これらの色点１３３０、１３３６は、低ＣＣＴ光源１０２に使用することができる、２２００ＫのＣＣＴの等温等高線６０４に沿って延在する色点に対する限界を表すことができる。対応線１３３８は色点１３３４でＢＢＬ  ６０２と交差し、対応線１３４０は、図１３では見えていないが色点１３３２によって表され、１８００Ｋ未満（例えば、１０００〜１７００Ｋ）のＣＣＴで生じる位置で、ＢＢＬ  ６０２と交差する。
【００６６】
これらの色点１３３０、１３３２、１３３４、１３３６は、（例えば、光源１０２、１０４からの光の組み合わせを帯域１０１０内にするために）光源１０４によって発生する色点１３２０と組み合わせて使用したときの、光源１０２によって発生する光の色に対する、ＣＣＴの範囲および色合いの範囲（例えば、Ｄｕｖ値）に対する外側限界を表すことができる。色点１３３０、１３３２、１３３４、１３３６は、対応線１３３８、１３４０が、色点１３２０から延在し、帯域１０１０の最外縁部で帯域１０１０を横切って延在すると共に、色点１３３０、１３３２、１３３４、１３３６でＢＢＬ  ６０２およびＣＣＴ下方境界８２８と交差する、対応線であることに基づいて決定することができる。
【００６７】
ＣＣＴおよびＤｕｖ値の範囲は、色点１３３６から色点１３３４まで延在する線と、色点１３３４から色点１３３２まで延在する線と、色点１３３２から色点１３３０まで延在する線と、ＣＣＴ下限８２８に沿って（例えば、２２００Ｋの等温等高線６０４に沿って）延在する線とによって、色空間６００内で定義することができる。色点１３３０、１３３２、１３３４、１３３６によって定義される形状内にある様々な色点を、色点１３２０と共に使用して、帯域１０１０内の混合中間光を提供してもよい。
【００６８】
図１４は、一実施形態による、図１０に示される帯域１０１０内の温白色光を発生させるのに使用することができる、光源１０２、１０４の組み合わせの別の例を示している。図１４に示される例は、高ＣＣＴ光源１０４が、選好放射軌跡８２０と上限８２６（および／または９３０）の交点にある色点１４２０を有するとき、低ＣＣＴ光源１０２に対して使用されてもよい色点に対する限界を表し、光源１０２、１０４によって発生する光を表す色点を接続する対応線は、帯域１０１０を横切って、またはそこを通って延在する。
【００６９】
例えば、対応線１４３６、１４３８は、帯域１０１０の外縁部もしくは境界を横切って、またはそこに沿って延在する。対応線１４３６は、色点１４３４でＢＢＬ  ６０２およびＣＣＴ下方境界８２８と交差し、対応線１４３８は、色点１４３０でＣＣＴ下方境界８２８と交差する。これらの色点１４３０、１４３４は、低ＣＣＴ光源１０２に使用することができる、２２００ＫのＣＣＴの等温等高線６０４に沿って延在する色点に対する限界を表すことができる。対応線１４３８は、色点１４３２でＢＢＬ  ６０２と交差する。
【００７０】
これらの色点１４３０、１４３２、１４３４は、（例えば、光源１０２、１０４からの光の組み合わせを帯域１０１０内にするために）光源１０４によって発生する色点１４２０と組み合わせて使用したときの、光源１０２によって発生する光の色に対する、ＣＣＴの範囲および色合いの範囲（例えば、Ｄｕｖ値）に対する外側限界を表すことができる。色点１４２０、１４３２、１４３４は、対応線１４３６、１４３８が、色点１４２０から延在し、帯域１０１０を横切って延在すると共に、ＢＢＬ  ６０２およびＣＣＴ下方境界８２８と交差する、対応線であることに基づいて決定することができる。
【００７１】
ＣＣＴおよびＤｕｖ値の範囲は、ＢＢＬ  ６０２に沿って色点１４３４から色点１４３２まで延在する線と、色点１４３２から色点１４３０まで延在する線と、ＣＣＴ下限８２８に沿って（例えば、２２００Ｋの等温等高線６０４に沿って）延在する線とによって、色空間６００内で定義することができる。図１１〜１３のＣＣＴおよびＤｕｖ値の範囲（台形形状または台形に近似する形状を形成する）とは対照的に、図１４の例のＣＣＴおよびＤｕｖ値の範囲は、図１４に示されるように、三角形の形状をもたらす。色点１４３０、１４３２、１４３４によって定義される三角形状内にある様々な色点を、色点１４２０と共に使用して、帯域１０１０内の混合中間光を提供してもよい。
【００７２】
図１５は、一実施形態による、図１０に示される帯域１０１０内の温白色光を発生させるのに使用することができる、光源１０２、１０４の組み合わせの別の例を示している。図１５に示される例は、低ＣＣＴ光源１０２が、ＢＢＬ  ６０２とＣＣＴ下限８２８の交点にある色点１５３０を有するとき、高ＣＣＴ光源１０４に対して使用されてもよい色点に対する限界を表し、光源１０２、１０４によって発生する光を表す色点を接続する対応線は、帯域１０１０を横切って、またはそこを通って延在する。
【００７３】
対応線１５２８、１５３２は、帯域１０１０の外縁部もしくは境界を横切って、またはそこに沿って延在する。対応線１５２８は、色点１５２０でＢＢＬ  ６０２と交差し、対応線１５３２は、色点１５２６で、図８に示されるようにＣＣＴ上方境界８２６と交差する。対応線１５２８は、色点１５２２で１０，０００Ｋの等温等高線６０４と交差し、対応線１５３２は、色点１５２４でＢＢＬ  ６０２と交差する。あるいは、１０，０００Ｋ以外のＣＣＴが、色点１５２２を決定するのに使用されてもよい。
【００７４】
これらの色点１５２０、１５２２、１５２４、１５２６は、（例えば、光源１０２、１０４からの光の組み合わせを帯域１０１０内にするために）光源１０２によって発生する色点１５３０と組み合わせて使用したときの、光源１０４によって発生する光の色に対する、ＣＣＴの範囲および色合いの範囲（例えば、Ｄｕｖ値）に対する外側限界を表すことができる。ＣＣＴおよびＤｕｖ値の範囲は、色点１５２０から色点１５２２まで延在する線と、色点１５２２から色点１５２４まで延在する線と、色点１５２４から色点１５２６まで延在する線と、色点１５２６から色点１５２０まで延在する線とによって、色空間６００内で定義することができる。色点１５２０、１５２２、１５２４、１５２６によって定義される形状内にある様々な色点を、色点１５３０と共に使用して、帯域１０１０内の混合中間光を提供してもよい。
【００７５】
図１６は、一実施形態による、図１０に示される帯域１０１０内の温白色光を発生させるのに使用することができる、光源１０２、１０４の組み合わせの更なる例を示している。図１６に示される例は、低ＣＣＴ光源１０２が、選好放射軌跡８２０とＣＣＴ下限８２８の交点にある色点１６３０を有するとき、高ＣＣＴ光源１０４に対して使用されてもよい色点に対する限界を表し、光源１０２、１０４によって発生する光を表す色点を接続する対応線は、帯域１０１０を横切って、またはそこを通って延在する。単一の対応線１６２８が、帯域１０１０の外縁部もしくは境界を横切って、またはそこに沿って延在する。対応線１６２８は、図７に示されるように、色点１６２０におけるＣＣＴ上限７１６と上限７１２の交点で、対応線１６２８がＣＣＴ上限７１６と交差するように配向される。
【００７６】
色点１６２０は、（組み合わされた光を帯域１０１０内にするために）光源１０２によって発生する色点１６３０と組み合わせて使用したときの、光源１０４によって発生する光のＣＣＴおよび色合い（例えば、Ｄｕｖ値）を表すことができる。対応線１６２８のみが、色点１６３０から延在すると共に帯域１０１０を横切り、単一の色点１６２０のみが、図示される例の光源１０４によって発生する光の色に使用されてもよい。
【００７７】
帯域１０１０の上方および下方境界は、Ｄｕｖ方向でわずかに高いかまたは低いが、帯域１０２０の上限および下限ほど高くも低くもないことが予測されるので、約６５００Ｋ以上の高青色光源１０４が、ＢＢＬの上方約０．０１５〜ＢＢＬの下方約０．０１５のＤｕｖ範囲内にあるとき、２７００Ｋ〜３０００Ｋの温白色ＣＣＴ範囲の色点を、ＢＢＬの上方約０．００５〜ＢＢＬの下方約０．０１５のＤｕｖ範囲内にある約２２００Ｋ以下の低青色光源１０２と組み合わせるのが、最も好ましいものと一般化することができる。
【００７８】
図１７は、一実施形態による、図１０に示される異なる帯域１０２０内の温白色光を発生させるのに使用することができる、光源１０２、１０４の組み合わせの別の例を示している。図１１〜１６の例は、帯域１０１０を通って、またはそこを横切って延在する対応線を有する、光源１０２、１０４からの光に焦点を当てているが、図１７の例は、より大きい帯域１０２０を横切って、またはそこを通って延在する対応線を有する、光源１０２、１０４の様々な色点について説明している。図１７に示される例は、高ＣＣＴ光源１０４が、ＢＢＬ  ６０２とＣＣＴ上限９３０との交点にある色点１７２０を有するとき、低ＣＣＴ光源１０２に対して使用されてもよい色点に対する限界を表している。対応線１７２８、１７３８は、帯域１０２０を横切って、またはそこを通って延在する。これらの対応線１７２８、１７３８は、図１０に示される帯域１０１０を通っては延在しなくてもよい。対応線１７２８は、色点１７３６でＢＢＬ  ６０２と交差する。別の色点１７３４が、対応線１７２８の延長（ＢＢＬ  ６０２を越える）の下方にあり、ＢＢＬ  ６０２上にある。色点１７３０は、対応線１７３８とＣＣＴ下方境界８２８の交点を表し、色点１７３２は、１７００ＫのＣＣＴなど、ＢＢＬ  ６０２の下方にある色までの対応線１７３８の延長を表す。
【００７９】
これらの色点１７３０、１７３２、１７３４、１７３６は、（例えば、光源１０２、１０４からの光の組み合わせを帯域１０２０内にするために）光源１０４によって発生する光を表す色点１７２０と組み合わせて使用したときの、光源１０２によって発生する光の色に対する、ＣＣＴの範囲および色合いの範囲（例えば、Ｄｕｖ値）に対する外側限界を表すことができる。ＣＣＴおよびＤｕｖ値の範囲は、色点１７３６から色点１７３４まで延在するＢＢＬ  ６０２の一部分と、色点１７３４４から色点１７３２まで延在する線と、色点１７３２から色点１７３０まで延在する線と、ＣＣＴ下方境界８２８に沿って色点１７３０から色点１７３６まで延在する線とによって、色空間６００内で定義することができる。色点１７３０、１７３２、１７３４、１７３６によって定義される形状内にある様々な色点を、色点１７２０と共に使用して、帯域１０２０内の混合中間光を提供してもよい。
【００８０】
図１８は、一実施形態による、図１０に示される帯域１０２０内の温白色光を発生させるのに使用することができる、光源１０２、１０４の組み合わせの別の例を示している。図１８に示される例は、高ＣＣＴ光源１０４が、図７に示されるようなＣＣＴ上方境界７１６と色合い上限７１２の交点にある色点１８２０を有するとき、低ＣＣＴ光源１０２に対して使用されてもよい色点に対する限界を表している。対応線１８３８、１８４０は、色点１８２０から、帯域１０２０を横切って、またはそこを通って延在する。これらの対応線１８３８、１８４０は、図１０に示される帯域１０１０を通っては延在しなくてもよい。例えば、対応線１８３８、１８４０は、帯域１０２０を越えて、またはそこを通って延在する、最も外側の対応線（例えば、同じ色点１８２０から延在するが、最も遠く離れた対応線）であってもよい。
【００８１】
対応線１８３８は、色点１８３６でＢＢＬ  ６０２と交差する。別の色点１８３４が、対応線１８３８の延長上またはその下方（例えば、ＢＢＬ  ６０２を越えるかその上方）にあり、より低いＣＣＴではＢＢＬ  ６０２上にある。色点１８３０は、対応線１８４０とＣＣＴ下方境界８２８の交点を表す。色点１８３２は、１７００ＫのＣＣＴなど、ＢＢＬ  ６０２の下方の色点までの対応線１８４０の延長を表す。
【００８２】
これらの色点１８３０、１８３２、１８３４、１８３６は、（例えば、光源１０２、１０４からの光の組み合わせを帯域１０２０内にするために）光源１０４によって発生する光を表す色点１８２０と組み合わせて使用したときの、光源１０２によって発生する光の色に対する、ＣＣＴの範囲および色合いの範囲（例えば、Ｄｕｖ値）に対する外側限界を表すことができる。ＣＣＴおよびＤｕｖ値の範囲は、色点１８３６から色点１８３４まで延在するＢＢＬ  ６０２の一部分と、色点１８３４から色点１８３２まで延在する線と、色点１８３２から色点１８３０まで延在する線と、ＣＣＴ下方境界８２８に沿って色点１８３０から色点１８３６まで延在する線とによって、色空間６００内で定義することができる。色点１８３０、１８３２、１８３４、１８３６によって定義される形状内にある様々な色点を、色点１８２０と共に使用して、帯域１０２０内の混合された中間光を提供してもよい。
【００８３】
図１９は、一実施形態による、図１０に示される帯域１０２０内の温白色光を発生させるのに使用することができる、光源１０２、１０４の組み合わせの別の例を示している。図１９に示される例は、高ＣＣＴ光源１０４が、ＣＣＴ上方境界８２６と選好放射軌跡８２０の交点にある色点１９２０を有するとき、低ＣＣＴ光源１０２に対して使用されてもよい色点に対する限界を表している。対応線１９３８、１９４０は、色点１９２０から、帯域１０２０を横切って、またはそこを通って延在する。これらの対応線１９３８、１９４０は、図１０に示される帯域１０１０を通っては延在しなくてもよい。例えば、対応線１９３８、１９４０は、帯域１０２０を越えて、またはそこを通って延在すると共に、２５００Ｋ未満のＣＣＴでＢＢＬ  ６０２とも交差する、最も外側の対応線（例えば、同じ色点１９２０から延在するが、最も遠く離れた対応線）であってもよい。
【００８４】
対応線１９３８は、色点１９３６でＢＢＬ  ６０２と交差する。別の色点１９３４が、対応線１９３８の延長上またはその下方（例えば、ＢＢＬ  ６０２を越えるかその上方）にあり、より低いＣＣＴではＢＢＬ  ６０２上にある。色点１９３０は、対応線１９４０とＣＣＴ下方境界８２８の交点を表す。色点１９３２は、１７００ＫのＣＣＴなど、ＢＢＬ  ６０２の下方の色点までの対応線１９４０の延長を表す。
【００８５】
これらの色点１９３０、１９３２、１９３４、１９３６は、色点１９２０と組み合わせて使用したときの、光源１０２によって発生する光の色に対する、ＣＣＴの範囲および色合いの範囲（例えば、Ｄｕｖ値）の外側限界を表すことができる。ＣＣＴおよびＤｕｖ値の範囲は、色点１９３６から色点１９３４まで延在するＢＢＬ  ６０２の一部分と、色点１９３４から色点１９３２まで延在する線と、色点１９３２から色点１９３０まで延在する線と、ＣＣＴ下方境界８２８に沿って色点１９３０から色点１９３６まで延在する線とによって、色空間６００内で定義することができる。色点１９３０、１９３２、１９３４、１９３６によって定義される形状内にある様々な色点を、色点１９２０と共に使用して、帯域１０２０内の光を提供してもよい。
【００８６】
図２０は、一実施形態による、図１０に示される帯域１０２０内の温白色光を発生させるのに使用することができる、光源１０２、１０４の組み合わせの更なる例を示している。図２０に示される例は、高ＣＣＴ光源１０４が、ＣＣＴ上方境界８２６と色合い下限８２４の交点にある色点２０２０を有するとき、低ＣＣＴ光源１０２に対して使用されてもよい色点を表している。対応線２０３２は、色点２０２０から、帯域１０２０を横切って、またはそこを通って延在する。対応線２０３２は、やはりＢＢＬ  ６０２とＣＣＴ下限８２８の交点にある色点２０３０で、ＢＢＬ  ６０２と交差する。光源１０２、１０４は、色点２０２０、２０３０を有する光を発生して、帯域１０２０によって定義されるＣＣＴおよびＤｕｖ値内にある色を有する組み合わされた光を作り出すことができる。
【００８７】
図２１は、一実施形態による、図１０に示される帯域１０２０内の温白色光を発生させるのに使用することができる、光源１０２、１０４の組み合わせの別の例を示している。図２１に示される例は、低ＣＣＴ光源１０２が、ＣＣＴ下方境界８２８とＢＢＬ  ６０２の交点にある色点２１３０を有するとき、高ＣＣＴ光源１０４に対して使用されてもよい色点に対する限界を表している。対応線２１３２、２１３４は、色点２１３０から、帯域１０２０を横切って、またはそこを通って延在する。対応線２１３２、２１３４は、帯域１０２０を越えて、またはそこを通って延在すると共に、６５００ＫのＣＣＴ上限９３０とも交差する、最も外側の対応線（例えば、同じ色点２１３０から延在するが、最も遠く離れた対応線）であってもよい。
【００８８】
対応線２１３２は、色点２１２０でＣＣＴ上限９３０と交差する。別の色点２１２２が、対応線２１３２の延長上またはその下方（例えば、ＢＢＬ  ６０２を越えるかその上方）にあり、より高いＣＣＴではＢＢＬ  ６０２上にある。色点２１２６は、対応線２１３４とＣＣＴ上方境界９３０の交点を表す。色点２１２４は、１００００ＫのＣＣＴなど、ＢＢＬ  ６０２の下方の色点までの対応線２１３４の延長を表す。
【００８９】
これらの色点２１２０、２１２２、２１２４、２１２６は、色点２１３０と組み合わせて使用したときの、光源１０４によって発生する光の色に対する、ＣＣＴの範囲および色合いの範囲（例えば、Ｄｕｖ値）の外側限界を表すことができる。ＣＣＴおよびＤｕｖ値の範囲は、色点２１２０から色点２１２２まで延在する線と、色点２１２２から色点２１２４まで延在する線と、色点２１２４から色点２１２６まで延在する線と、ＣＣＴ上方境界９３０に沿って色点２１２６から色点２１２０まで延在する線とによって、色空間６００内で定義することができる。色点２１２０、２１２２、２１２４、２１２６によって定義される形状内にある様々な色点を、色点２１３０と共に使用して、帯域１０２０内の混合された中間光を提供してもよい。
【００９０】
図２２は、一実施形態による、図１０に示される帯域１０２０内の温白色光を発生させるのに使用することができる、光源１０２、１０４の組み合わせの別の例を示している。図２２に示される例は、低ＣＣＴ光源１０２が、ＣＣＴ下方境界８２８と選好放射軌跡８２０の交点にある色点２２３０を有するとき、高ＣＣＴ光源１０４に対して使用されてもよい色点に対する限界を表している。対応線２２２８、２２３２は、色点２２３０から、帯域１０２０を横切って、またはそこを通って延在する。対応線２２２８、２２３２は、帯域１０２０を越えて、またはそこを通って延在すると共に、ＣＣＴ上限９３０とも交差する、最も外側の対応線（例えば、同じ色点２２３０から延在するが、最も遠く離れた対応線）であってもよい。対応線２２２８は、色点２２２０でＣＣＴ上限９３０と交差する。色点２２２６は、対応線２２３２とＣＣＴ上方境界９３０の交点を表す。色点２２２２は、対応線２２３２とＢＢＬ  ６０２の交点を表す。
【００９１】
これらの色点２２２０、２２２２、２２２４は、色点２２３０と組み合わせて使用したときの、光源１０４によって発生する光の色に対する、ＣＣＴの範囲および色合いの範囲（例えば、Ｄｕｖ値）の外側限界を表すことができる。ＣＣＴおよびＤｕｖ値の範囲は、色点２２２０から色点２２２２まで延在する線と、色点２２２２から色点２２２６まで延在する線と、ＣＣＴ上方境界９３０に沿って色点２２２６から色点２２２０まで延在する線とによって、色空間６００内で定義することができる。色点２２２０、２２２２、２２２４によって定義される形状内にある様々な色点を、色点２２３０と共に使用して、帯域１０２０内の混合された中間光を提供してもよい。
【００９２】
図２３は、一実施形態による、図１０に示される帯域１０２０内の温白色光を発生させるのに使用することができる、光源１０２、１０４の組み合わせの更なる例を示している。図２３に示される例は、低ＣＣＴ光源１０２が、ＣＣＴ下方境界８２８と色合い下限８２４の交点にある色点２３３０を有するとき、高ＣＣＴ光源１０４に対して使用されてもよい色点を表している。対応線２３２２は、色点２３３０から、帯域１０２０を横切って、またはそこを通って延在する。対応線２３２２は、色点２３２０でＣＣＴ上限９３０（および色合い上限７１２）と交差する。光源１０２、１０４は、色点２３３０、２３２０を有する光を発生して、帯域１０２０によって定義されるＣＣＴおよびＤｕｖ値内にある色を有する組み合わされた光を作り出すことができる。
【００９３】
帯域１０２０の上方および下方境界は、Ｄｕｖ方向でわずかに高いかまたは低いが、帯域１０３０の上限および下限ほど高くも低くもないことが予測されるので、約６５００Ｋ以上の高青色光源１０４が、ＢＢＬの上方約０．０１５〜ＢＢＬの下方約０．０３０のＤｕｖ範囲内にあるとき、２５００Ｋ〜３２００Ｋの温白色ＣＣＴ範囲の色点を、ＢＢＬの上方約０．００５〜ＢＢＬの下方約０．０３０のＤｕｖ範囲内にある約２２００Ｋ以下の低青色光源１０２と組み合わせるのが、好ましいものと一般化することができる。
【００９４】
図２４は、一実施形態による、図１０に示される帯域１０３０内の温白色光を発生させるのに使用することができる、光源１０２、１０４の組み合わせの別の例を示している。図２４に示される例は、高ＣＣＴ光源１０４が、図９に示されるようなＣＣＴ上方境界９３０と色合い上限７１２の交点にある色点２４２０を有するとき、低ＣＣＴ光源１０２に対して使用されてもよい色点に対する限界を表している。対応線２４３８、２４４０は、色点２４２０から、帯域１０３０を横切って、またはそこを通って延在する。対応線２４３８、２４４０は、帯域１０３０を越えて、またはそこを通って延在すると共に、ＢＢＬ  ６０２および／またはＣＣＴ下限８２８とも交差する、最も外側の対応線（例えば、同じ色点２４２０から延在するが、最も遠く離れた対応線）であってもよい。
【００９５】
対応線２４３８は、色点２４３６でＢＢＬ  ６０２およびＣＣＴ下限８２８と交差する。別の色点２４３４が、対応線２４３８の延長上またはその下方（例えば、ＢＢＬ  ６０２を越えるかその上方）にあり、より低いＣＣＴではＢＢＬ  ６０２上にある。色点２４３０は、対応線２４４０と色合い下限８２４および／またはＣＣＴ下方境界８２８の交点を表す。色点２４３２は、１７００ＫのＣＣＴなど、ＢＢＬ  ６０２の下方の色点までの対応線２４４０の延長を表す。
【００９６】
これらの色点２４３０、２４３２、２４３４、２４３６は、色点２４２０と組み合わせて使用したときの、光源１０２によって発生する光の色に対する、ＣＣＴの範囲および色合いの範囲（例えば、Ｄｕｖ値）の外側限界を表すことができる。ＣＣＴおよびＤｕｖ値の範囲は、ＢＢＬ  ６０２に沿って色点２４３６から色点２４３４まで延在する線と、色点２４３４から色点２４３２で延在する線と、色点２４３２から色点２４３０まで延在する線と、ＣＣＴ下方境界８２８に沿って色点２４３０から色点２４３６まで延在する線とによって、色空間６００内で定義することができる。色点２４３０、２４３２、２４３４、２４３６によって定義される形状内にある様々な色点を、色点２４２０と共に使用して、帯域１０３０内の混合中間光を提供してもよい。
【００９７】
図２５は、一実施形態による、図１０に示される帯域１０３０内の温白色光を発生させるのに使用することができる、光源１０２、１０４の組み合わせの別の例を示している。図２５に示される例は、高ＣＣＴ光源１０４が、ＣＣＴ上方境界９３０とＢＢＬ  ６０２の交点にある色点２５２０を有するとき、低ＣＣＴ光源１０２に対して使用されてもよい色点に対する限界を表している。対応線２５３８、２５４０は、色点２５２０から、帯域１０３０を横切って、またはそこを通って延在する。対応線２５３８、２５４０は、帯域１０３０を越えて、またはそこを通って延在すると共に、ＢＢＬ  ６０２および／またはＣＣＴ下限８２８および／または色合い下限８２４とも交差する、最も外側の対応線（例えば、同じ色点２５２０から延在するが、最も遠く離れた対応線）であってもよい。
【００９８】
対応線２５３８は、色点２５３６でＢＢＬ  ６０２と交差する。別の色点２５３４が、対応線２５３８の延長上またはその下方（例えば、ＢＢＬ  ６０２を越えるかその上方）にあり、より低いＣＣＴ（例えば、１７００Ｋ）ではＢＢＬ  ６０２上にある。色点２５３０は、対応線２５４０と色合い下限８２４および／またはＣＣＴ下方境界８２８の交点を表す。色点２５３２は、１７００ＫのＣＣＴなど、ＢＢＬ  ６０２の下方の色点までの対応線２５４０の延長を表す。
【００９９】
これらの色点２５３０、２５３２、２５３４、２５３６は、色点２５２０と組み合わせて使用したときの、光源１０２によって発生する光の色に対する、ＣＣＴの範囲および色合いの範囲（例えば、Ｄｕｖ値）の外側限界を表すことができる。ＣＣＴおよびＤｕｖ値の範囲は、ＢＢＬ  ６０２に沿って色点２５３６から色点２５３４まで延在する線と、色点２５３４から色点２５３２で延在する線と、色点２５３２から色点２５３０まで延在する線と、ＣＣＴ下方境界８２８に沿って色点２５３０から色点２５３６まで延在する線とによって、色空間６００内で定義することができる。色点２５３０、２５３２、２５３４、２５３６によって定義される形状内にある様々な色点を、色点２５２０と共に使用して、帯域１０３０内の混合された中間光を提供してもよい。
【０１００】
図２６は、一実施形態による、図１０に示される帯域１０３０内の温白色光を発生させるのに使用することができる、光源１０２、１０４の組み合わせの別の例を示している。図２６に示される例は、高ＣＣＴ光源１０４が、ＣＣＴ上方境界９３０と選好放射軌跡８２０の交点にある色点２６２０を有するとき、低ＣＣＴ光源１０２に対して使用されてもよい色点に対する限界を表している。対応線２６３８、２６４０は、色点２６２０から、帯域１０３０を横切って、またはそこを通って延在する。対応線２６３８、２６４０は、帯域１０３０を越えて、またはそこを通って延在すると共に、ＢＢＬ  ６０２および／またはＣＣＴ下限８２８とも交差する、最も外側の対応線（例えば、同じ色点２６２０から延在するが、最も遠く離れた対応線）であってもよい。
【０１０１】
対応線２６３８は、色点２６３６でＢＢＬ  ６０２およびＣＣＴ下限８２８と交差する。別の色点２６３４が、対応線２６３８の延長上またはその下方（例えば、ＢＢＬ  ６０２を越えるかその上方）にあり、より低いＣＣＴ（例えば、１７００Ｋ）ではＢＢＬ  ６０２上にある。色点２６３０は、対応線２６４０とＣＣＴ下限８２８の交点を表す。色点２６３２は、１７００ＫのＣＣＴなど、ＢＢＬ  ６０２の下方の色点までの対応線２６４０の延長を表す。
【０１０２】
これらの色点２６３０、２６３２、２６３４、２６３６は、色点２６２０と組み合わせて使用したときの、光源１０２によって発生する光の色に対する、ＣＣＴの範囲および色合いの範囲（例えば、Ｄｕｖ値）の外側限界を表すことができる。ＣＣＴおよびＤｕｖ値の範囲は、ＢＢＬ  ６０２に沿って色点２６３６から色点２６３４まで延在する線と、色点２６３４から色点２６３２まで延在する線と、色点２６３２から色点２６３０まで延在する線と、ＣＣＴ下方境界８２８に沿って色点２６３０から色点２６３６まで延在する線とによって、色空間６００内で定義することができる。色点２６３０、２６３２、２６３４、２６３６によって定義される形状内にある様々な色点を、色点２６２０と共に使用して、帯域１０３０内の混合中間光を提供してもよい。
【０１０３】
図２７は、一実施形態による、図１０に示される帯域１０３０内の温白色光を発生させるのに使用することができる、光源１０２、１０４の組み合わせの別の例を示している。図２７に示される例は、高ＣＣＴ光源１０４が、ＣＣＴ上方境界９３０と図８に示されるような色合い下限８２４との交点にある色点２７２０を有するとき、低ＣＣＴ光源１０２に対して使用されてもよい色点に対する限界を表している。対応線２７３６、２７３８は、色点２７２０から、帯域１０３０を横切って、またはそこを通って延在する。対応線２７３６、２７３８は、帯域１０３０を越えて、またはそこを通って延在すると共に、ＢＢＬ  ６０２および／またはＣＣＴ下限８２８とも交差する、最も外側の対応線（例えば、同じ色点２７２０から延在するが、最も遠く離れた対応線）であってもよい。
【０１０４】
対応線２７３６は、色点２７３４でＢＢＬ  ６０２およびＣＣＴ下限８２８と交差する。対応線２７３８は、色点２７３２でＢＢＬ  ６０２と交差し、色点２７３０でＣＣＴ下限８２８と交差する。これらの色点２７３０、２７３２、２７３４は、色点２７２０と組み合わせて使用したときの、光源１０２によって発生する光の色に対する、ＣＣＴの範囲および色合いの範囲（例えば、Ｄｕｖ値）の外側限界を表すことができる。ＣＣＴおよびＤｕｖ値の範囲は、ＢＢＬ  ６０２に沿って色点２７３４から色点２７３２まで延在する線と、色点２７３２から色点２７３０まで（例えば、対応線２７３８に沿って）延在する線と、ＣＣＴ下方境界８２８に沿って色点２７３０から色点２７３４まで延在する線とによって、色空間６００内で定義することができる。色点２７３０、２７３２、２７３４によって定義される形状内にある様々な色点を、色点２７２０と共に使用して、帯域１０３０内の混合された中間光を提供してもよい。
【０１０５】
図２８は、固体照明（ＳＳＬ）製品を用いた一般の照明（即ち、白色光）に対する、ＡＮＳＩ規格Ｃ７８．３７７−２０１１（電球に関する米国標準規格−ＳＳＬ製品の色度に関する仕様）によって推奨されている色度の範囲を示す図である。推奨される四角形２８１０は、ＢＢＬをほぼ中心にししたＤｕｖ方向であり、ＣＣＴ等温線上にある。最近改訂されたＡＮＳＩ規格Ｃ７８．３７７−２０１５も、２５００Ｋおよび２２００Ｋを中心にした同様の四角形を含んでいる。図２８から、最も好ましい帯域１０１０は、一般の「白色光」用途に推奨されるＡＮＳＩの四角形に含まれないことが分かるが、最近の色彩学（２０１０  Ｒｅａ、２０１３  Ｆｒｅｙｓｉｎｎｉｅｒ、２０１５  Ｏｈｎｏ）は、図２８の最も好ましい色度範囲１０１０はＡＮＳＩの四角形のいずれにも含まれず、図２８の最も好ましい色度範囲１０２０のほぼ全てが、ＡＮＳＩの四角形のいずれにも含まれないことを示している。
【０１０６】
低ＣＣＴおよび高ＣＣＴ色点、ならびに中間ＣＣＴの色点を提供する既存の照明システムは、一般に、ＢＢＬまたはその付近にある中間ＣＣＴまたはその付近の第３の光源を提供するので、３つの光源を混合することによって作り出される全ての可能な中間ＣＣＴの色点が、ＢＢＬまたはその付近に位置してもよい。本発明では、中間ＣＣＴにある第３の光源を排除することによって、照明システムが単純になるだけでなく、温白色の中間ＣＣＴのより好ましい色点が提供され、更には最も好ましい色点も提供されてもよい。
【０１０７】
図１に示されるランプシステム１００の説明に戻ると、ランプシステム１００は、低青色成分光源１０２が実質白色光を放射し、高青色成分光源１０４が実質白色光を放射することによって動作してもよい。光源１０４によって発生する実質白色光は、光源１０２によって発生する実質白色光よりも高い相関色温度（ＣＣＴ）を有することができる。光源１０２、１０４によって発生する実質白色光を組み合わせて、実質中間または温白色光をランプシステム１００から発することができる。低青色成分光源１０２は、約２５００Ｋ以下のＣＣＴを有する実質白色光を放射することができる。この光は、一実施形態では、少なくとも２０００ＫのＣＣＴを有するように生成されてもよい。高青色成分光源１０４は、少なくとも約４０００ＫのＣＣＴを有する実質白色光を放射することができる。この光は、一実施形態では、１０，０００Ｋ以下のＣＣＴを有するように発生させてもよい。ランプシステム１００から発する中間または温白色光は、一実施形態では、少なくとも約２７００Ｋであって約３０００Ｋ以下のＣＣＴを有することができる。
【０１０８】
ランプシステム１００は光学系１１４を含むことができ、それを通して、光源１０２、１０４によって発生する光が伝播し、ランプシステム１００から発する前に実質的に均一に混合する。光学系１１４は、ポリマー、ガラスなどの光透過性材料、または金属もしくはポリマー、もしくは基材上の任意の反射性コーティングなどの光反射性材料、または光透過性要素と光反射性要素の組み合わせから形成された、レンズを含むかまたは表してもよい。光学系１１４は、光源１０２、１０４の両方が光を発生させると、光源１０２、１０４によって発生した光を、散乱、回折、屈折、反射、拡散、または別の形で混合してもよい。
【０１０９】
ランプシステム１００は、光源１０２、１０４のどちらが光を発生させるかを制御するスイッチ１１６を含む。スイッチ１１６は、どちらの光源１０２、１０４が、電源（例えば、コンセント、電力系統、電池など）から光源１０２、１０４に電力供給する電流を受け取るかを制御することなどによって、異なる光源１０２、１０４を活性化する、異なる状態または位置の間で交番することができる。１つの状態では、スイッチ１１６は、低青色成分光源１０２に光を放射させ、高青色成分光源１０４には光を放射させない。この状態は、ランプシステム１００のオペレータが、人体内でのメラトニン産生を抑制せず、またはそれを促進して、ヒトが入眠するのを助けるように、ランプシステム１００に光を発生させるのに使用することができる。異なる状態では、スイッチ１１６は、低青色成分光源１０２には光を放射させず、高青色成分光源１０４に光を放射させる。この状態は、ランプシステム１００のオペレータが、人体内でのメラトニン産生を抑制して、ヒトが起床するのを助けるように、ランプシステム１００に光を発生させるのに使用することができる。一実施形態では、スイッチ１１６は、低青色成分光源１０２に光を放射させ、高青色成分光源１０４にも光を放射させて、実質中間または温白色光を提供する。この状態によって、オペレータが起床または入眠しようとしていない日中を通した期間など、オペレータがメラトニン産生を抑制することもその抑制を停止することも望まない間、ランプシステム１００を使用できるようにすることができる。スイッチ１１６は、ランプシステム１００の動作状態を変更するために手動で作動させることができるデバイスであり得る。
【０１１０】
１つの態様では、ランプシステム１００は、低青色成分光源１０２および高青色成分光源１０４のどちらが、異なる時間に活性化されるかを制御する、タイマー１１８を含む。タイマー１１８は、電子クロックなど、時間の経過を追跡するハードウェア回路類を表すことができる。タイマー１１８は、異なる光源１０２、１０４が活性化または非活性化される時間を記憶するメモリを含み、ならびに／あるいはメモリへのアクセスを有することができる。記憶された時間に基づいて、タイマー１１８は、光源１０２、１０４および／またはスイッチ１１６を制御して、午後８時から真夜中まで（または他の時間）などの睡眠前時間の間、低青色成分光源１０２に光を放射させ、高青色成分光源１０４を非活性化することができる。タイマー１１８は、光源１０２、１０４および／またはスイッチ１１６を制御して、午前５時から午前９時まで（または他の時間）などの睡眠後時間の間、高青色成分光源１０４を活性化して光を放射させ、低青色成分光源１０２を非活性化することができる。タイマー１１８は、午前９時から午後８時までまたは他の時間など、睡眠後時間の後から睡眠前時間までの時間の間、低青色成分光源１０２および高青色成分光源１０４の両方を活性化することができる。これによって、異なる時間の間に光源を除去または交換することなどによる、オペレータの手動調節を回避するため、異なる時間にどの光が生成されるかをランプシステム１００が切り替えることを可能にすることができる。
【０１１１】
図示される実施形態では、ランプシステム１００は制御部１２０を含む。制御部１２０は、フィールドプログラマブルゲートアレイ（ＦＰＧＡ）、集積回路、マイクロプロセッサ、もしくは他の電子論理ベースの素子などの１つ以上のプロセッサを含む、ならびに／あるいはそれと接続される、ハードウェア回路類を表す。制御部１２０は、タイマー１１８をプログラムする（例えば、時間を設定する、異なる光源１０２、１０４が活性化または非活性化される回数を設定するなど）のに使用することができる。制御部１２０は、任意に、一日の異なる時間にどの光源１０２、１０４が活性化されるかを自動で（例えば、オペレータが介在せずに）切り替えるために、タイマー１１８および／またはスイッチ１１６を制御してもよい。一実施形態では、制御部１２０、スイッチ１１６、および／またはタイマー１１８は、光源１０２、１０４とは別個の構成要素であることができる。例えば、光源１０２、１０４および／またはレンズ１１４は、制御部１２０、スイッチ１１６、および／またはタイマー１１８と取外し可能に連結することができる、別個に購入可能な構成要素であってもよい。光源１０２、１０４は、光源１０２、１０４の１つ以上が焼損したとき、または別の理由で光を生成できなくなったときに交換することができる。
【０１１２】
特定の利点を本開示の実施形態によって提示することができる。例えば、本開示の実施形態は、意識をはっきりさせる朝の「高青色」光、日常的活動のための日中のスペクトルを強化した中間または温白色光、および睡眠を支援する夜の「低青色」光としての役割を果たすことができる、合成光源を提供してもよい。
【０１１３】
（対応線上の特定の色点を指すことによって達する）合成光源の色点に関連して、特定の実施形態について上述しているが、低青色および高青色成分光源に対する異なる色点が、異なる対応線および中間または温白色色点をもたらすことが理解されるべきであり、更に、上記のことは全て、本開示の範囲に包含されるものと見なされるべきである。ＰＦＳ赤色リン光体を用いる特定の実施形態について上述しているが、当業者であれば、色品質および効率を強化するため、代替の狭帯域赤色リン光体、および／または赤色ＬＥＤ、および／または他の狭帯域赤色エミッタを、ＰＦＳの代わりに使用できることを理解するであろう。また、特定の例示的実施形態は、２つの「チャネル」（例えば、１つが高青色、１つが低青色である、２つの成分光源）の組み合わせである合成光源を提供しているが、本開示はこれに限定されず、様々な色点および効果を達成するために、多重チャネルの解決策（３つ以上の成分光源）を用いることができることが理解されるべきである。
【０１１４】
特定のＤｕｖ値が異なるＣＣＴを有する異なる光に対して提供されるが、任意に、これらの光は他のＤｕｖ値を有してもよい。例えば、少なくとも４０００Ｋ、または６０００Ｋなどの少なくとも別の値のＣＣＴを有する光は、−０．０３０〜＋０．０１５のＤｕｖ値、−０．０１５超過〜＋０．０１５以下のＤｕｖ値、または別の値を有してもよい。２２００Ｋ以下のＣＣＴを有する光は、−０．０３０〜＋０．００５のＤｕｖ値、０．０００未満〜−０．０１５以上のＤｕｖ値、または別の値を有してもよい。
【０１１５】
一実施形態では、合成光源は、第１の実質白色光を放射する低青色成分光源と、第２の実質白色光を放射する高青色成分光源とを含む。第２の実質白色光は、第１の実質白色光よりも高い相関色温度を有する。第１および第２の実質白色光を組み合わせて、実質中間または温白色光を提供する。
【０１１６】
１つの態様では、低青色成分光源は、約２５００Ｋ以下の相間色温度を含む第１の実質白色光を放射する。
【０１１７】
１つの態様では、高青色成分光源は、少なくとも約４０００Ｋの相間色温度を含む第２の実質白色光を放射する。
【０１１８】
１つの態様では、中間または温白色光は、少なくとも約２７００Ｋ〜約３０００Ｋ以下の相関色温度を有する。
【０１１９】
１つの態様では、合成光源はまた、低青色成分光源に第１の実質白色光を放射させ、高青色成分光源には第２の実質白色光を放射させない、第１の状態へと作動させるように構成された、スイッチを含む。スイッチはまた、低青色成分光源には第１の実質白色光を放射させず、高青色成分光源に第２の実質白色光を放射させる、別の第２の状態へと作動させるように構成される。スイッチはまた、低青色成分光源に第１の実質白色光を放射させ、高青色成分光源に第２の実質白色光を放射させて、実質中間または温白色光を提供させる、別の第３の状態へと作動させるように構成される。
【０１２０】
１つの態様では、合成光源はまた、低青色成分光源および高青色成分光源のどちらが、一日の異なる時間に活性化されるかを制御する、タイマーを含む。
【０１２１】
１つの態様では、タイマーは、睡眠前時間の間、低青色成分光源を活性化して第１の実質白色光を放射させ、高青色成分光源は非活性化する。タイマーは、睡眠後時間の間、高青色成分光源を活性化して第２の実質白色光を放射させ、低青色成分光源は非活性化する。タイマーはまた、睡眠後時間の後から睡眠前時間までの時間の間、低青色成分光源および高青色成分光源を活性化することができる。
【０１２２】
１つの態様では、低青色成分光源または高青色成分光源の少なくとも１つは狭帯域赤色エミッタを含む。
【０１２３】
１つの態様では、狭帯域赤色エミッタはリン光体である。
【０１２４】
１つの態様では、合成光源は、第１および第２の実質白色光の両方がそこを通して放射されるレンズを含む。
【０１２５】
別の実施形態では、（例えば、光を発生させる）方法は、第１の時間帯の間、第１の実質白色光を合成光源の低青色成分光源から放射することと、別の第２の時間帯の間、第２の実質白色光を高青色成分光源から放射することとを含み、第２の実質白色光は第１の実質白色光よりも高い相関色温度を有する。
【０１２６】
１つの態様では、方法はまた、別の第３の時間帯の間、同時に第１の実質白色光を放射すると共に第２の実質白色光を放射することを含み、第１および第２の実質白色光を組み合わせて、実質中間または温白色光を提供する。
【０１２７】
１つの態様では、中間または温白色光は、少なくとも約２７００Ｋ〜約３０００Ｋ以下の相関色温度を有する。
【０１２８】
１つの態様では、第１の実質白色光は、約２５００Ｋ以下の相関色温度を有する。
【０１２９】
１つの態様では、第２の実質白色光は、少なくとも約４０００Ｋの相関色温度を有する。
【０１３０】
１つの態様では、方法はまた、合成光源のスイッチの作動に応答して、低青色成分光源からの第１の実質白色光の放射から、高青色成分光源からの第２の実質白色光の放射へと切り替えること、スイッチの作動に応答して、高青色成分光源からの第２の実質白色光の放射から、低青色成分光源からの第１の実質白色光の放射へと切り替えること、ならびに／あるいは、スイッチの作動に応答して、低青色成分光源からの第１の実質白色光のみの放射または高青色成分光源からの第２の実質白色光のみの放射から、低青色成分光源からの第１の実質白色光および高青色成分光源からの第２の実質白色光両方の同時の放射へと切り替えることのうち１つ以上を含む。
【０１３１】
１つの態様では、方法はまた、時間帯に基づいて、低青色成分光源からの第１の実質白色光の放射から、高青色成分光源からの第２の実質白色光の放射へと自律的に切り替えること、時間帯に基づいて、高青色成分光源からの第２の実質白色光の放射から、低青色成分光源からの第１の実質白色光の放射へと自律的に切り替えること、ならびに／あるいは、時間帯に基づいたスイッチの作動に応答して、低青色成分光源からの第１の実質白色光のみの放射または高青色成分光源からの第２の実質白色光のみの放射から、低青色成分光源からの第１の実質白色光および高青色成分光源からの第２の実質白色光両方の同時の放射へと自律的に切り替えることのうち１つ以上を含む。
【０１３２】
１つの態様では、方法はまた、睡眠前時間の間、低青色成分光源を活性化して第１の実質白色光を放射し、高青色成分光源を非活性化すること、睡眠後時間の間、高青色成分光源を活性化して第２の実質白色光を放射し、低青色成分光源を非活性化すること、ならびに睡眠後時間の後から睡眠前時間までの間、低青色成分光源および高青色成分光源を活性化することを含む。
【０１３３】
別の実施形態では、合成光源は、約２５００Ｋ以下の相関色温度（ＣＣＴ）を有する第１の実質白色光を放射する低青色成分光源と、少なくとも約４０００ＫのＣＣＴを有する第２の実質白色光を放射する高青色成分光源と、低青色成分光源および高青色成分光源のどちらを活性化して、それぞれの第１の実質白色光または第２の実質白色光を放射させるかを制御する制御部とを含む。
【０１３４】
１つの態様では、制御部は、睡眠前時間の間、低青色成分光源を活性化して第１の実質白色光を放射し、高青色成分光源を非活性化し、睡眠後時間の間、高青色成分光源を活性化して第２の実質白色光を放射し、低青色成分光源を非活性化し、睡眠後時間の後から睡眠前時間までの間、低青色成分光源および高青色成分光源を活性化する。
【０１３５】
本発明の主題の特定の実施形態についての上述の説明は、添付図面と併せ読むことによってより良く理解されるであろう。様々な実施形態は、図面に示される配置および手段に限定されない。上述の説明は例証であって制限ではない。例えば、上述の実施形態（および／またはそれらの態様）は、互いに組み合わせて使用されてもよい。それに加えて、特定の状況または材料に合わせて、本発明の主題の範囲から逸脱することなくその教示に対して多くの修正が行われてもよい。本明細書に記載する材料の寸法およびタイプは、本発明の主題のパラメータを定義しようとするものであるが、決して限定ではなく、例示的な実施形態である。上述の説明を精査することにより、他の実施形態が当業者には明白なことがある。したがって、本発明の主題の範囲は、添付の特許請求の範囲、ならびにかかる特許請求の範囲によって権利を与えられる等価物の全範囲を参照して決定されるべきである。
【０１３６】
添付の特許請求の範囲において、「〜を含む（ｉｎｃｌｕｄｉｎｇ）」および「〜において（ｉｎ  ｗｈｉｃｈ）」という用語は、「〜を備える（ｃｏｍｐｒｉｓｉｎｇ）」および「〜その点において（ｗｈｅｒｅｉｎ）」という用語それぞれの平易な英語での等価物として使用される。更に、以下の特許請求の範囲において、「第１の」、「第２の」、および「第３の」などの用語は単なる記号として使用されるものであり、それらの対象物に対して数的要件を付与しようとするものではない。更に、以下の特許請求の範囲における限定は、ミーンズ・プラス・ファンクション形式で書かれるものではなく、かかる特許請求の範囲の限定が、「〜のための手段（ｍｅａｎｓ  ｆｏｒ）」という語句に続いて更なる構造がない機能の説明を明示的に使用していない限り、米国特許法第１１２条（ｆ）に基づいて解釈されないものとする。また、本明細書で使用するとき、単数形で列挙され、「ａ」または「ａｎ」という語が前に付く要素またはステップは、複数の前記要素またはステップを除外することが明示的に書かれていない限り、複数を除外しないものとして理解されるべきである。更に、本発明の主題の「一実施形態」に対する言及は、列挙した特徴をやはり組み込んだ更なる実施形態が存在することを除外するとして解釈されないものとする。更に、逆のことが明示的に書かれていない限り、特定の性質を有する１つの要素もしくは複数の要素を「備える」、「含む」、または「有する」実施形態は、その性質を有さないかかる要素を追加で含んでもよい。
【０１３７】
本明細書は、実施例を使用して、本発明の主題のいくつかの実施形態を開示すると共に、任意のデバイスもしくはシステムを作成し使用すること、および任意の組み込まれた方法を実施することを含めて、当業者が本発明の実施形態を実施することを可能にしている。本発明の主題の特許可能な範囲は、特許請求の範囲によって定義され、当業者に見出される他の実施例を含んでもよい。かかる他の実施例は、特許請求の範囲の字義通りの文言と異ならない構造的要素を有する場合、または特許請求の範囲の字義通りの文言と実質的に異ならない等価の構造的要素を含む場合、特許請求の範囲内にあるものとする。
【符号の説明】
【０１３８】
１００  多重チャネルランプシステム１００
１０２  低青色成分光源、低ＣＣＴ光源
１０４  高青色成分光源、高ＣＣＴ光源
１０６  青色ＬＥＤ
１０８、１１０、１１２  リン光体、構成要素
１１４  光学系、レンズ
１１６  スイッチ
１１８  タイマー
１２０  制御部
１５０、１６０  作用スペクトル
２００、２０２、２０４、２０６、２０８  ＳＰＤ分布
２１０  横軸
２１２  縦軸
３００、３０２、３０４  ＳＰＤ分布
４００、４０２、４０４、４０６  ＳＰＤ分布
５００、５０２、５０４、５０６  ＳＰＤ分布
６００  色度空間
６０２  黒体放射軌跡または線、ＢＢＬ
６０４  等色温度等高線
７１０  白体放射軌跡、ＷＢＬ
７１２  上方境界、色合い上限
７１４  下方境界、色合い下限
７１６  上方境界、ＣＣＴ上限
７１８  下方境界、ＣＣＴ下限
８２０  選好放射軌跡
８２２  上方境界、色合い上限
８２４  下方境界、色合い下限
８２６  上方境界、ＣＣＴ上限
８２８  下方境界、ＣＣＴ下限
９１０  外側範囲
９２０  内側範囲
９３０  上方境界、ＣＣＴ上限
１０１０、１０２０、１０３０  選好帯域
１０４０  ＣＣＴ下方境界
１０５０  ＣＣＴ下方境界
１１２０  高ＣＣＴ色点
１１３０、１１３２、１１３４、１１３６  選好色点
１１３８、１１４０  外側対応線
１２２０、１２３０、１２３２、１２３４、１２３６  色点
１２３８、１２４０  対応線
１３２０、１３３０、１３３２、１３３４、１３３６  色点
１３３８、１３４０  対応線
１４２０、１４３０、１４３２、１４３４  色点
１４３６、１４３８  対応線
１５２０、１５２２、１５２４、１５２６、１５３０  色点
１５２８、１５３２  対応線
１６２０、１６３０  色点
１６２８  対応線
１７２０、１７３０、１７３２、１７３４、１７３６  色点
１７２８、１７３８  対応線
１８２０、１８３０、１８３２、１８３４、１８３６  色点
１８３８、１８４０  対応線
１９２０、１９３０、１９３２、１９３４、１９３６  色点
１９３８、１９４０  対応線
２０２０、２０３０  色点
２０３２  対応線
２１２０、２１２２、２１２４、２１２６、２１３０  色点
２１３２、２１３４  対応線
２２２０、２２２２、２２２４、２２２６、２２３０  色点
２２２８、２２３２  対応線
２３２０、２３３０  色点
２３２２  対応線
２４２０、２４３０、２４３２、２４３４、２４３６  色点
２４３８、２４４０  対応線
２５２０、２５３０、２５３２、２５３４、２５３６  色点
２５３８、２５４０  対応線
２６２０、２６３０、２６３２、２６３４、２６３６  色点
２６３８、２６４０  対応線
２７２０、２７３０、２７３２、２７３４  色点
２７３６、２７３８  対応線
２８１０  四角形
【図１ａ】
0006802803.tif 000005
【図１ｂ】
0006802803.tif 000006
【図２】
0006802803.tif 000007
【図３】
0006802803.tif 000008
【図４】
0006802803.tif 000009
【図５】
0006802803.tif 000010
【図６】
0006802803.tif 000011
【図７】
0006802803.tif 000012
【図８】
0006802803.tif 000013
【図９】
0006802803.tif 000014
【図１０】
0006802803.tif 000015
【図１１】
0006802803.tif 000016
【図１２】
0006802803.tif 000017
【図１３】
0006802803.tif 000018
【図１４】
0006802803.tif 000019
【図１５】
0006802803.tif 000020
【図１６】
0006802803.tif 000021
【図１７】
0006802803.tif 000022
【図１８】
0006802803.tif 000023
【図１９】
0006802803.tif 000024
【図２０】
0006802803.tif 000025
【図２１】
0006802803.tif 000026
【図２２】
0006802803.tif 000027
【図２３】
0006802803.tif 000028
【図２４】
0006802803.tif 000029
【図２５】
0006802803.tif 000030
【図２６】
0006802803.tif 000031
【図２７】
0006802803.tif 000032
【図２８】
0006802803.tif 000033